(57)【要約】【課題】十分な耐力を発揮し、かつ、材料費が比較的安価であり、かつ、施工が比較的容易な門型フレームを提供する。【解決手段】第１柱体30と、第２柱体40と、一端を第１柱体30の側面に他端を第２柱体40の側面に接合されている梁体20とを備える。第１柱体30における、梁体20と同じ高さの部分を、第１柱梁高部分51とし、第１柱体30における、梁体20よりも下方の部分を、第１柱梁下部分52とし、第２柱体40における、梁体20と同じ高さの部分を、第２柱梁高部分61とし、第２柱体40における、梁体20よりも下方の部分を、第２柱梁下部分62とする。梁体20と第１柱体30との接合部の両面に、梁体20と第１柱梁高部分51と第１柱梁下部分52とに跨るＬ字形の第１構造用面材50を固定する。梁体20と第２柱体40との接合部の両面に、梁体20と第２柱梁高部分61と第２柱梁下部分62とに跨るＬ字形の第２構造用面材60を固定する。【選択図】図１
2007113384.tif 000002
【特許請求の範囲】
【請求項１】
所定間隔をあけて並列に立設されている第１柱体および第２柱体と、
第１柱体と第２柱体との間に架け渡され、一端を第１柱体の側面に、他端を第２柱体の側面に、それぞれ接合されている梁体とを備え、
第１柱体における、梁体と同じ高さに位置する部分を、第１柱梁高部分とし、
第１柱体における、梁体よりも下方に位置する部分を、第１柱梁下部分とし、
第２柱体における、梁体と同じ高さに位置する部分を、第２柱梁高部分とし、
第２柱体における、梁体よりも下方に位置する部分を、第２柱梁下部分とし、
梁体と第１柱体との接合部の正面および背面には、それぞれ、梁体と第１柱梁高部分と第１柱梁下部分とに跨るＬ字形の第１構造用面材がその周縁部を梁体および第１柱体に釘で打ち付けられて固定されているとともに、
梁体と第２柱体との接合部の正面および背面には、それぞれ、梁体と第２柱梁高部分と第２柱梁下部分とに跨るＬ字形の第２構造用面材がその周縁部を梁体および第２柱体に釘で打ち付けられて固定されていることを特徴とする門型フレーム。
【請求項２】
第１柱梁高部分の中心を第１柱梁高中心とし、
梁体と第１柱体との接合面の中心を第１柱接合中心とし、
第１柱梁高中心と第１柱接合中心とを結ぶ線を第１結線とし、
第１結線上における第１柱梁高中心付近の所定の点を第１柱回転中心とし、
第２柱梁高部分の中心を第２柱梁高中心とし、
梁体と第２柱体との接合面の中心を第２柱接合中心とし、
第２柱梁高中心と第２柱接合中心とを結ぶ線を第２結線とし、
第２結線上における第２柱梁高中心付近の所定の点を第２柱回転中心とし、
各第１構造用面材は、それぞれ、その下端縁および第２柱体側端縁が、第１柱回転中心を中心とする球の接線上に位置するように形成され、
各第２構造用面材は、それぞれ、その下端縁および第１柱体側端縁が、第２柱回転中心を中心とする球の接線上に位置するように形成されていることを特徴とする請求項１記載の門型フレーム。
【請求項３】
梁体は、少なくとも、第１柱体から第２柱体まで至る上梁部材と、上梁部材の下方に設けられかつ上梁部材と平行に延びかつ第１柱体から第２柱体まで至る下梁部材と、上梁部材と下梁部材との間に設けられかつ上端を上梁部材の下面に下端を下梁部材の上面にそれぞれ接合されている複数の支柱部材とを備えるとともに、これらによって構成される枠体の正面および背面に、それぞれ、その周縁部を上梁部材と下梁部材といずれかの支柱部材とに釘で打ち付けられて固定されている梁用構造用面材を備えることにより、ボックスビーム状に形成され、
第１柱体は、少なくとも、所定間隔をあけて並列に立設されている第１柱部材および第２柱部材と、第１柱部材と第２柱部材との間であって上梁部材と同じ高さの位置に設けられかつ一端を第１柱部材の側面に他端を第２柱部材の側面にそれぞれ接合されている第１上梁高横架部材と、第１柱部材と第２柱部材との間であって下梁部材と同じ高さの位置に設けられかつ一端を第１柱部材の側面に他端を第２柱部材の側面にそれぞれ接合されている第１下梁高横架部材と、第１柱部材と第２柱部材との間であって第１下梁高横架部材よりも下方の位置に設けられかつ一端を第１柱部材の側面に他端を第２柱部材の側面にそれぞれ接合されている複数の下方横架部材とを備えるとともに、これらによって構成される枠体の正面および背面に、それぞれ、その周縁部を第１柱部材と第２柱部材といずれかの下方横架部材とに釘で打ち付けられて固定されている第１柱用構造用面材を備えることにより、ボックスビーム状に形成され、
第２柱体は、少なくとも、所定間隔をあけて並列に立設されている第３柱部材および第４柱部材と、第３柱部材と第４柱部材との間であって上梁部材と同じ高さの位置に設けられかつ一端を第３柱部材の側面に他端を第４柱部材の側面にそれぞれ接合されている第２上梁高横架部材と、第３柱部材と第４柱部材との間であって下梁部材と同じ高さの位置に設けられかつ一端を第３柱部材の側面に他端を第４柱部材の側面にそれぞれ接合されている第２下梁高横架部材と、第３柱部材と第４柱部材との間であって第２下梁高横架部材よりも下方の位置に設けられかつ一端を第３柱部材の側面に他端を第４柱部材の側面にそれぞれ接合されている複数の下方横架部材とを備えるとともに、これらによって構成される枠体の正面および背面に、それぞれ、その周縁部を第３柱部材と第４柱部材といずれかの下方横架部材とに釘で打ち付けられて固定されている第２柱用構造用面材を備えることにより、ボックスビーム状に形成され、
上梁部材と第１上梁高横架部材とは、一端を上梁部材の下面に他端を第１上梁高横架部材の下面にそれぞれ固定された引き寄せ金物によって、互いに引き寄せられ、
下梁部材と第１下梁高横架部材とは、一端を下梁部材の上面に他端を第１下梁高横架部材の上面にそれぞれ固定された引き寄せ金物によって、互いに引き寄せられ、
上梁部材と第２上梁高横架部材とは、一端を上梁部材の下面に他端を第２上梁高横架部材の下面にそれぞれ固定された引き寄せ金物によって、互いに引き寄せられ、
下梁部材と第２下梁高横架部材とは、一端を下梁部材の上面に他端を第２下梁高横架部材の上面にそれぞれ固定された引き寄せ金物によって、互いに引き寄せられていることを特徴とする請求項１または２記載の門型フレーム。
【請求項４】
所定間隔をあけて並列に立設されている第１柱体および第２柱体と、
第１柱体と第２柱体との間に架け渡され、一端付近の下面を第１柱体の上面に、他端付近の下面を第２柱体の上面に、それぞれ接合されている梁体とを備え、
梁体における、第１柱体の上方に位置する部分を、第１柱上部分とし、
梁体における、第２柱体の上方に位置する部分を、第２柱上部分とし、
梁体における、第１柱体よりも第２柱体側かつ第２柱体よりも第１柱体側に位置する部分を、柱間部分とし、
梁体と第１柱体との接合部の正面および背面には、それぞれ、柱間部分と第１柱上部分と第１柱体とに跨るＬ字形の第１構造用面材がその周縁部を梁体および第１柱体に釘で打ち付けられて固定されているとともに、
梁体と第２柱体との接合部の正面および背面には、それぞれ、柱間部分と第２柱上部分と第２柱体とに跨るＬ字形の第２構造用面材がその周縁部を梁体および第２柱体に釘で打ち付けられて固定されていることを特徴とする門型フレーム。
【請求項５】
第１柱上部分の中心を第１柱上部中心とし、
梁体と第１柱体との接合面の中心を第１柱接合中心とし、
第１柱上部中心と第１柱接合中心とを結ぶ線を第１結線とし、
第１結線上における第１柱上部中心付近の所定の点を第１柱回転中心とし、
第２柱上部分の中心を第２柱上部中心とし、
梁体と第２柱体との接合面の中心を第２柱接合中心とし、
第２柱上部中心と第２柱接合中心とを結ぶ線を第２結線とし、
第２結線上における第２柱上部中心付近の所定の点を第２柱回転中心とし、
各第１構造用面材は、それぞれ、その下端縁および第２柱体側端縁が、第１柱回転中心を中心とする球の接線上に位置するように形成され、
各第２構造用面材は、それぞれ、その下端縁および第１柱体側端縁が、第２柱回転中心を中心とする球の接線上に位置するように形成されていることを特徴とする請求項４記載の門型フレーム。
【請求項６】
第１柱体は、少なくとも、所定間隔をあけて並列に立設されている第１柱部材および第２柱部材と、第１柱部材と第２柱部材との間に設けられかつ一端を第１柱部材の側面に他端を第２柱部材の側面にそれぞれ接合されている複数の横架部材とを備えるとともに、これらによって構成される枠体の正面および背面に、それぞれ、その周縁部を第１柱部材と第２柱部材といずれかの横架部材とに釘で打ち付けられて固定されている第１柱用構造用面材を備えることにより、ボックスビーム状に形成され、
第２柱体は、少なくとも、所定間隔をあけて並列に立設されている第３柱部材および第４柱部材と、第３柱部材と第４柱部材との間に設けられかつ一端を第３柱部材の側面に他端を第４柱部材の側面にそれぞれ接合されている複数の横架部材とを備えるとともに、これらによって構成される枠体の正面および背面に、それぞれ、その周縁部を第３柱部材と第４柱部材といずれかの横架部材とに釘で打ち付けられて固定されている第２柱用構造用面材を備えることにより、ボックスビーム状に形成され、
梁体は、少なくとも、第１柱体から第２柱体まで至る上梁部材と、上梁部材の下方に設けられかつ上梁部材と平行に延びかつ第１柱体から第２柱体まで至る下梁部材と、上梁部材と下梁部材との間であって第１柱部材の上方にあたる位置に設けられかつ上端を上梁部材の下面に下端を下梁部材の上面にそれぞれ接合されている第１支柱部材と、上梁部材と下梁部材との間であって第２柱部材の上方にあたる位置に設けられかつ上端を上梁部材の下面に下端を下梁部材の上面にそれぞれ接合されている第２支柱部材と、上梁部材と下梁部材との間であって第３柱部材の上方にあたる位置に設けられかつ上端を上梁部材の下面に下端を下梁部材の上面にそれぞれ接合されている第３支柱部材と、上梁部材と下梁部材との間であって第４柱部材の上方にあたる位置に設けられかつ上端を上梁部材の下面に下端を下梁部材の上面にそれぞれ接合されている第４支柱部材と、上梁部材と下梁部材との間であって第１柱体と第２柱体との間の位置に設けられかつ上端を上梁部材の下面に下端を下梁部材の上面にそれぞれ接合されている複数の中間支柱部材とを備えるとともに、これらによって構成される枠体の正面および背面に、それぞれ、その周縁部を上梁部材と下梁部材といずれかの中間支柱部材とに釘で打ち付けられて固定されている梁用構造用面材を備えることにより、ボックスビーム状に形成され、
第１柱部材と第１支柱部材とは、一端を第１柱部材における第２柱部材側の側面に他端を第１支柱部材における第２支柱部材側の側面にそれぞれ固定された引き寄せ金物によって、互いに引き寄せられ、
第２柱部材と第２支柱部材とは、一端を第２柱部材における第１柱部材側の側面に他端を第２支柱部材における第１支柱部材側の側面にそれぞれ固定された引き寄せ金物によって、互いに引き寄せられ、
第３柱部材と第３支柱部材とは、一端を第３柱部材における第４柱部材側の側面に他端を第３支柱部材における第４支柱部材側の側面にそれぞれ固定された引き寄せ金物によって、互いに引き寄せられ、
第４柱部材と第４支柱部材とは、一端を第４柱部材における第３柱部材側の側面に他端を第４支柱部材における第３支柱部材側の側面にそれぞれ固定された引き寄せ金物によって、互いに引き寄せられていることを特徴とする請求項４または５記載の門型フレーム。
【発明の詳細な説明】
【技術分野】
【０００１】
本発明は、門型フレームに関し、特に、十分な耐力を発揮し、かつ、材料費が比較的安価であり、かつ、施工が比較的容易な門型フレームに関する。
【背景技術】
【０００２】
木造住宅等の建物には、当該建物に加わる水平方向の外力に対する耐力を負担させるために、耐力壁をバランスよく配置しなければならない。
しかし、敷地の形状や建築プランによっては、耐力壁をバランスよく配置することが困難になる。例えば、接道幅が狭く細長い敷地に、１階部分を自動車用の車庫とする住宅を建てようとすると、間口の全面を車庫の出入り口としなければならず、かかる場合に耐力壁をバランスよく配置することが困難になる。
そこで、かかる問題を解消するため、従来から、種々の門型フレームが提案されている（特許文献１ないし６参照）。
【特許文献１】特開２０００−２３４４０７号公報
【特許文献２】特開２００１−３０３６６３号公報
【特許文献３】特開２００４−０１１１６２号公報
【特許文献４】特開２００３−２３９３８３号公報
【特許文献５】特開２００３−２３９４５６号公報
【特許文献６】特開２００５−１３３３２３号公報
【発明の開示】
【発明が解決しようとする課題】
【０００３】
しかし、従来の門型フレームは、材料費が高価であったり、施工が難しいという問題があった。
また、上記特許文献１ないし３に開示されている門型フレームは、いずれも、構造用面材を用いたものである。特に、特許文献１に開示されている門型フレームは、梁と柱における梁の高さに相当する部分とに跨るようにして、長方形の構造用面材が釘で打ち付けられているものである。また、特許文献３に開示されている門型フレームは、柱と梁における柱の上方に相当する部分とに跨るようにして、長方形の構造用面材が釘で打ち付けられているものである。
【０００４】
しかし、特許文献１に開示されている、梁と柱における梁の高さに相当する部分とに跨るようにして、長方形の構造用面材が釘で打ち付けられている門型フレームにあっては、水平方向に大きな力が加わると、柱における、梁の高さに相当する部分と梁の下方に位置する部分との境目で、柱が破壊されてしまうという問題があった。つまり、柱における、構造用面材が貼り付けられている部分と貼り付けられていない部分との境目で、柱が破壊されてしまうという問題があった。これでは十分な耐力が発揮できない。
また、特許文献３に開示されている、柱と梁における柱の上方に相当する部分とに跨るようにして、長方形の構造用面材が釘で打ち付けられている門型フレームにあっては、水平方向に大きな力が加わると、梁における、柱の上方に相当する部分と両柱間に位置する部分との境目で、梁が破壊されてしまうという問題があった。つまり、梁における、構造用面材が貼り付けられている部分と貼り付けられていない部分との境目で、梁が破壊されてしまうという問題があった。これでは十分な耐力が発揮できない。
【０００５】
また、上記特許文献１ないし３に開示されている門型フレームは、いずれも、直交する部材同士を、接合金物で接合したり、引き寄せ金物で互いに引き寄せたりしている。しかし、直交する部材同士を、接合金物で接合したり、引き寄せ金物で互いに引き寄せたのでは、これらを剛接合とすることができない。このため、門型フレームに水平方向の大きな力が加わった際に、門型フレーム全体が菱型になるように変形してしまう。つまり、梁と一方の柱とのなす角が鋭角になり、かつ、梁と他方の柱とのなす角が鈍角になるように、門型フレームが変形してしまう。これでは十分な耐力が発揮できない。
（請求項１）
そこで、請求項１記載の発明は、梁体と第１柱体との接合部に、梁体と第１柱梁高部分と第１柱梁下部分とに跨るＬ字形の第１構造用面材を釘で打ち付けて固定するとともに、梁体と第２柱体との接合部にも、梁体と第２柱梁高部分と第２柱梁下部分とに跨るＬ字形の第２構造用面材を釘で打ち付けて固定することにより、柱体における、構造用面材が貼り付けられている部分と貼り付けられていない部分との境目で、柱体が破壊されないようにして、十分な耐力を発揮し、かつ、材料費が比較的安価であり、かつ、施工が比較的容易な門型フレームを提供することを目的とする。
【０００６】
（請求項２）
また、請求項２記載の発明は、請求項１記載の発明の目的に加え、下端縁および第２柱体側端縁が、第１柱回転中心を中心とする球の接線上に位置するように、各第１構造用面材を形成するとともに、下端縁および第１柱体側端縁が、第２柱回転中心を中心とする球の接線上に位置するように、各第２構造用面材を形成することにより、門型フレームに水平方向の大きな力が加わった際に、構造用面材の下端縁と他方の柱体側の端縁とに加わる力がほぼ等しくなるようにし、構造用面材が破壊されにくくして、十分な耐力を発揮するようにした門型フレームを提供することを目的とする。
【０００７】
（請求項３）
また、請求項３記載の発明は、請求項１または２記載の発明の目的に加え、第１柱体、第２柱体、および梁体をボックスビーム状に形成するとともに、上梁部材と第１上梁高横架部材とを引き寄せ金物で互いに引き寄せ、下梁部材と第１下梁高横架部材とを引き寄せ金物で互いに引き寄せ、上梁部材と第２上梁高横架部材とを引き寄せ金物で互いに引き寄せ、下梁部材と第２下梁高横架部材とを引き寄せ金物で互いに引き寄せることにより、梁体と第１柱体および第２柱体とを剛接合とし、門型フレームに水平方向の大きな力が加わっても、門型フレーム全体が菱型になるような変形が生じないようにして、十分な耐力を発揮するようにした門型フレームを提供することを目的とする。
【０００８】
（請求項４）
また、請求項４記載の発明は、梁体と第１柱体との接合部に、柱間部分と第１柱上部分と第１柱体とに跨るＬ字形の第１構造用面材を釘で打ち付けて固定するとともに、梁体と第２柱体との接合部にも、柱間部分と第２柱上部分と第２柱体とに跨るＬ字形の第２構造用面材を釘で打ち付けて固定することにより、梁体における、構造用面材が貼り付けられている部分と貼り付けられていない部分との境目で、梁体が破壊されないようにして、十分な耐力を発揮し、かつ、材料費が比較的安価であり、かつ、施工が比較的容易な門型フレームを提供することを目的とする。
【０００９】
（請求項５）
また、請求項５記載の発明は、請求項４記載の発明の目的に加え、下端縁および第２柱体側端縁が、第１柱回転中心を中心とする球の接線上に位置するように、各第１構造用面材を形成するとともに、下端縁および第１柱体側端縁が、第２柱回転中心を中心とする球の接線上に位置するように、各第２構造用面材を形成することにより、門型フレームに水平方向の大きな力が加わった際に、構造用面材の下端縁と他方の柱体側の端縁とに加わる力がほぼ等しくなるようにし、構造用面材が破壊されにくくして、十分な耐力を発揮するようにした門型フレームを提供することを目的とする。
【００１０】
（請求項６）
また、請求項６記載の発明は、請求項４または５記載の発明の目的に加え、第１柱体、第２柱体、および梁体をボックスビーム状に形成するとともに、第１柱部材と第１支柱部材とを引き寄せ金物で互いに引き寄せ、第２柱部材と第２支柱部材とを引き寄せ金物で互いに引き寄せ、第３柱部材と第３支柱部材とを引き寄せ金物で互いに引き寄せ、第４柱部材と第４支柱部材とを引き寄せ金物で互いに引き寄せることにより、梁体と第１柱体および第２柱体とを剛接合とし、門型フレームに水平方向の大きな力が加わっても、門型フレーム全体が菱型になるような変形が生じないようにして、十分な耐力を発揮するようにした門型フレームを提供することを目的とする。
【課題を解決するための手段】
【００１１】
（請求項１）
請求項１記載の発明は、門型フレーム10に係るものであって、所定間隔をあけて並列に立設されている第１柱体30および第２柱体40と、第１柱体30と第２柱体40との間に架け渡され、一端を第１柱体30の側面に、他端を第２柱体40の側面に、それぞれ接合されている梁体20とを備え、第１柱体30における、梁体20と同じ高さに位置する部分を、第１柱梁高部分51とし、第１柱体30における、梁体20よりも下方に位置する部分を、第１柱梁下部分52とし、第２柱体40における、梁体20と同じ高さに位置する部分を、第２柱梁高部分61とし、第２柱体40における、梁体20よりも下方に位置する部分を、第２柱梁下部分62とし、梁体20と第１柱体30との接合部の正面および背面には、それぞれ、梁体20と第１柱梁高部分51と第１柱梁下部分52とに跨るＬ字形の第１構造用面材50がその周縁部を梁体20および第１柱体30に釘で打ち付けられて固定されているとともに、梁体20と第２柱体40との接合部の正面および背面には、それぞれ、梁体20と第２柱梁高部分61と第２柱梁下部分62とに跨るＬ字形の第２構造用面材60がその周縁部を梁体20および第２柱体40に釘で打ち付けられて固定されていることを特徴とする。
【００１２】
ここで、「第１柱体30および第２柱体40」は、所定間隔をあけて並列に立設される。
また、「梁体20」は、第１柱体30と第２柱体40との間に架け渡される。また、梁体20は、第１柱体30および第２柱体40と直交する。また、梁体20は、一端を、第１柱体30の側面に、他端を、第２柱体40の側面に、それぞれ接合される。つまり、本発明に係る門型フレーム10は、いわゆる「柱勝ち」の門型フレーム10である。
また、第１柱体30も、第２柱体40も、梁体20も、いずれも、例えば、無垢材を用いて構成してもよく、また、集成材を用いて構成してもよく、また、複数の材からなる枠体を用いて構成してもよく、また、ボックスビームを用いて構成してもよい。
【００１３】
また、「第１柱梁高部分51」とは、第１柱体30における、梁体20と同じ高さに位置する部分をいう。つまり、第１柱梁高部分51とは、第１柱体30における、梁体20の高さに相当する部分をいう。
また、「第１柱梁下部分52」とは、第１柱体30における、梁体20よりも下方に位置する部分をいう。つまり、第１柱梁下部分52とは、第１柱体30における、梁体20の高さよりも低い部分をいう。更に換言すれば、第１柱梁下部分52とは、第１柱体30における、第１柱梁高部分51の下側の部分をいう。第１柱体30は、第１柱梁高部分51を有するとともに、そのすぐ下側には、第１柱梁下部分52を有する。
【００１４】
また、「第２柱梁高部分61」とは、第２柱体40における、梁体20と同じ高さに位置する部分をいう。つまり、第２柱梁高部分61とは、第２柱体40における、梁体20の高さに相当する部分をいう。
また、「第２柱梁下部分62」とは、第２柱体40における、梁体20よりも下方に位置する部分をいう。つまり、第２柱梁下部分62とは、第２柱体40における、梁体20の高さよりも低い部分をいう。更に換言すれば、第２柱梁下部分62とは、第２柱体40における、第２柱梁高部分61の下側の部分をいう。第２柱体40は、第２柱梁高部分61を有するとともに、そのすぐ下側には、第２柱梁下部分62を有する。
【００１５】
また、「第１構造用面材50」は、梁体20と第１柱梁高部分51と第１柱梁下部分52との３つの部分に跨るＬ字形の面材である。また、第１構造用面材50は、梁体20と第１柱体30との接合部の正面および背面にそれぞれ固定される。つまり、第１構造用面材50は、梁体20と第１柱体30との接合部の両面に固定される。つまり、本発明に係る門型フレーム10は、第１構造用面材50を２枚備え、一方の第１構造用面材50は、梁体20と第１柱体30との接合部の正面に固定され、他方の第１構造用面材50は、同接合部の背面に固定される。梁体20と第１柱体30との接合部は、２枚の第１構造用面材50によって挟まれるようにして固定される。また、各第１構造用面材50は、それぞれ、その周縁部を、梁体20および第１柱体30に釘で打ち付けられる。
【００１６】
また、「第２構造用面材60」は、梁体20と第２柱梁高部分61と第２柱梁下部分62との３つの部分に跨るＬ字形の面材である。また、第２構造用面材60は、梁体20と第２柱体40との接合部の正面および背面にそれぞれ固定される。つまり、第２構造用面材60は、梁体20と第２柱体40との接合部の両面に固定される。つまり、本発明に係る門型フレーム10は、第２構造用面材60を２枚備え、一方の第２構造用面材60は、梁体20と第２柱体40との接合部の正面に固定され、他方の第２構造用面材60は、同接合部の背面に固定される。梁体20と第２柱体40との接合部は、２枚の第２構造用面材60によって挟まれるようにして固定される。また、各第２構造用面材60は、それぞれ、その周縁部を、梁体20および第２柱体40に釘で打ち付けられる。
【００１７】
また、第１構造用面材50も、第２構造用面材60も、いずれも、例えば、一般的な規格に適合する１枚の長方形の構造用面材をＬ字形にカットすることによって形成できる。また、例えば、１枚の長方形の構造用面材から、２枚の第１構造用面材50あるいは第２構造用面材60を切り出すことができる。
本発明によれば、梁体20と第１柱体30との接合部の両面に、梁体20と第１柱梁高部分51と第１柱梁下部分52とに跨るＬ字形の第１構造用面材50を釘で打ち付けて固定するとともに、梁体20と第２柱体40との接合部の両面にも、梁体20と第２柱梁高部分61と第２柱梁下部分62とに跨るＬ字形の第２構造用面材60を釘で打ち付けて固定しているので、柱体における、構造用面材が貼り付けられている部分と貼り付けられていない部分との境目で、柱体が破壊されないようにすることができ、これにより、十分な耐力を発揮し、かつ、材料費が比較的安価であり、かつ、施工が比較的容易な門型フレーム10を提供できる。
【００１８】
（請求項２）
請求項２記載の発明は、請求項１記載の発明を限定したものであって、第１柱梁高部分51の中心を第１柱梁高中心53とし、梁体20と第１柱体30との接合面の中心を第１柱接合中心54とし、第１柱梁高中心53と第１柱接合中心54とを結ぶ線を第１結線55とし、第１結線55上における第１柱梁高中心53付近の所定の点を第１柱回転中心56とし、第２柱梁高部分61の中心を第２柱梁高中心63とし、梁体20と第２柱体40との接合面の中心を第２柱接合中心64とし、第２柱梁高中心63と第２柱接合中心64とを結ぶ線を第２結線65とし、第２結線65上における第２柱梁高中心63付近の所定の点を第２柱回転中心66とし、各第１構造用面材50は、それぞれ、その下端縁および第２柱体40側端縁が、第１柱回転中心56を中心とする球の接線上に位置するように形成され、各第２構造用面材60は、それぞれ、その下端縁および第１柱体30側端縁が、第２柱回転中心66を中心とする球の接線上に位置するように形成されていることを特徴とする。
【００１９】
ここで、「第１柱梁高中心53」とは、第１柱梁高部分51の中心をいう。
また、「第１柱接合中心54」とは、梁体20と第１柱体30との接合面の中心をいう。
また、「第１結線55」とは、第１柱梁高中心53と第１柱接合中心54とを結ぶ線をいう。
また、「第１柱回転中心56」とは、第１結線55上における第１柱梁高中心53付近の所定の点をいう。
また、「第２柱梁高中心63」とは、第２柱梁高部分61の中心をいう。
また、「第２柱接合中心64」とは、梁体20と第２柱体40との接合面の中心をいう。
また、「第２結線65」とは、第２柱梁高中心63と第２柱接合中心64とを結ぶ線をいう。
【００２０】
また、「第２柱回転中心66」とは、第２結線65上における第２柱梁高中心63付近の所定の点をいう。
またここで、いわゆる「柱勝ち」の門型フレーム10にあっては、水平方向の大きな力が加わると、本発明で定義した第１柱回転中心56および第２柱回転中心66を中心にして、門型フレーム10全体が菱型になるように変形しようとする。
そこで、本発明では、下端縁および第２柱体40側端縁が、第１柱回転中心56を中心とする球の接線上に位置するように、各第１構造用面材50を形成している。
ここで、「第１構造用面材50の下端縁」とは、第１構造用面材50の端縁のうち、最も下側の端縁をいう。
【００２１】
また、「第１構造用面材50の第２柱体40側端縁」とは、第１構造用面材50の端縁のうち、最も第２柱体40側の端縁をいう。
そして、本発明では、「第１柱回転中心56を中心とする球」を想定し、下端縁および第２柱体40側端縁が、第１柱回転中心56を中心とする球の接線上に位置するように、第１構造用面材50の寸法を設定している。つまり、本発明では、第１柱回転中心56から第１構造用面材50の下端縁までの距離と、第１柱回転中心56から第１構造用面材50の第２柱体40側端縁までの距離とがほぼ等しくなるようにしている。
また、本発明では、下端縁および第１柱体30側端縁が、第２柱回転中心66を中心とする球の接線上に位置するように、各第２構造用面材60を形成している。
【００２２】
ここで、「第２構造用面材60の下端縁」とは、第２構造用面材60の端縁のうち、最も下側の端縁をいう。
また、「第２構造用面材60の第１柱体30側端縁」とは、第２構造用面材60の端縁のうち、最も第１柱体30側の端縁をいう。
そして、本発明では、「第２柱回転中心66を中心とする球」を想定し、下端縁および第１柱体30側端縁が、第２柱回転中心66を中心とする球の接線上に位置するように、第２構造用面材60の寸法を設定している。つまり、本発明では、第２柱回転中心66から第２構造用面材60の下端縁までの距離と、第２柱回転中心66から第２構造用面材60の第１柱体30側端縁までの距離とがほぼ等しくなるようにしている。
【００２３】
本発明によれば、門型フレーム10に水平方向の大きな力が加わった際に、第１構造用面材50の下端縁と第２柱体40側端縁とに加わる力がほぼ等しくなるとともに、第２構造用面材60の下端縁と第１柱体30側端縁とに加わる力がほぼ等しくなる。つまり、門型フレーム10に水平方向の大きな力が加わった際に、第１構造用面材50の下端縁または第２柱体40側端縁のいずれか一方にのみ無理な力が加わるようなことがなく、また、第２構造用面材60の下端縁または第１柱体30側端縁のいずれか一方にのみ無理な力が加わるようなこともない。これにより、第１構造用面材50および第２構造用面材60が破壊されにくくなり、十分な耐力を発揮する門型ラーメンフレームを提供できる。
【００２４】
（請求項３）
請求項３記載の発明は、請求項１または２記載の発明を限定したものであって、梁体20は、少なくとも、第１柱体30から第２柱体40まで至る上梁部材21と、上梁部材21の下方に設けられかつ上梁部材21と平行に延びかつ第１柱体30から第２柱体40まで至る下梁部材22と、上梁部材21と下梁部材22との間に設けられかつ上端を上梁部材21の下面に下端を下梁部材22の上面にそれぞれ接合されている複数の支柱部材23とを備えるとともに、これらによって構成される枠体の正面および背面に、それぞれ、その周縁部を上梁部材21と下梁部材22といずれかの支柱部材23とに釘で打ち付けられて固定されている梁用構造用面材24を備えることにより、ボックスビーム状に形成され、第１柱体30は、少なくとも、所定間隔をあけて並列に立設されている第１柱部材31および第２柱部材32と、第１柱部材31と第２柱部材32との間であって上梁部材21と同じ高さの位置に設けられかつ一端を第１柱部材31の側面に他端を第２柱部材32の側面にそれぞれ接合されている第１上梁高横架部材33と、第１柱部材31と第２柱部材32との間であって下梁部材22と同じ高さの位置に設けられかつ一端を第１柱部材31の側面に他端を第２柱部材32の側面にそれぞれ接合されている第１下梁高横架部材34と、第１柱部材31と第２柱部材32との間であって第１下梁高横架部材34よりも下方の位置に設けられかつ一端を第１柱部材31の側面に他端を第２柱部材32の側面にそれぞれ接合されている複数の下方横架部材35とを備えるとともに、これらによって構成される枠体の正面および背面に、それぞれ、その周縁部を第１柱部材31と第２柱部材32といずれかの下方横架部材35とに釘で打ち付けられて固定されている第１柱用構造用面材37を備えることにより、ボックスビーム状に形成され、第２柱体40は、少なくとも、所定間隔をあけて並列に立設されている第３柱部材41および第４柱部材42と、第３柱部材41と第４柱部材42との間であって上梁部材21と同じ高さの位置に設けられかつ一端を第３柱部材41の側面に他端を第４柱部材42の側面にそれぞれ接合されている第２上梁高横架部材43と、第３柱部材41と第４柱部材42との間であって下梁部材22と同じ高さの位置に設けられかつ一端を第３柱部材41の側面に他端を第４柱部材42の側面にそれぞれ接合されている第２下梁高横架部材44と、第３柱部材41と第４柱部材42との間であって第２下梁高横架部材44よりも下方の位置に設けられかつ一端を第３柱部材41の側面に他端を第４柱部材42の側面にそれぞれ接合されている複数の下方横架部材35とを備えるとともに、これらによって構成される枠体の正面および背面に、それぞれ、その周縁部を第３柱部材41と第４柱部材42といずれかの下方横架部材35とに釘で打ち付けられて固定されている第２柱用構造用面材47を備えることにより、ボックスビーム状に形成され、上梁部材21と第１上梁高横架部材33とは、一端を上梁部材21の下面に他端を第１上梁高横架部材33の下面にそれぞれ固定された引き寄せ金物90によって、互いに引き寄せられ、下梁部材22と第１下梁高横架部材34とは、一端を下梁部材22の上面に他端を第１下梁高横架部材34の上面にそれぞれ固定された引き寄せ金物90によって、互いに引き寄せられ、上梁部材21と第２上梁高横架部材43とは、一端を上梁部材21の下面に他端を第２上梁高横架部材43の下面にそれ���れ固定された引き寄せ金物90によって、互いに引き寄せられ、下梁部材22と第２下梁高横架部材44とは、一端を下梁部材22の上面に他端を第２下梁高横架部材44の上面にそれぞれ固定された引き寄せ金物90によって、互いに引き寄せられていることを特徴とする。
【００２５】
ここで、本発明では、梁体20は、少なくとも、上梁部材21と、下梁部材22と、複数の支柱部材23と、梁用構造用面材24とを備える。
また、「上梁部材21」は、第１柱体30から第２柱体40まで至る。
また、「下梁部材22」は、上梁部材21の下方に設けられ、かつ、上梁部材21と平行に延び、かつ、第１柱体30から第２柱体40まで至る。
つまり、「上梁部材21および下梁部材22」は、双方とも水平方向に延び、上梁部材21が上、下梁部材22が下になるようにして、所定間隔をあけて並列に設けられる。
また、「支柱部材23」は、上梁部材21と下梁部材22との間に設けられ、かつ、上端を上梁部材21の下面に、下端を下梁部材22の上面に、それぞれ接合される。また、支柱部材23は、複数設けられる。例えば、第１から第４までの４本の支柱部材23を設けることができる。
【００２６】
そして、上梁部材21、下梁部材22、および複数の支柱部材23によって、枠体が構成される。
また、「梁用構造用面材24」は、上梁部材21、下梁部材22、および複数の支柱部材23によって構成される枠体の正面および背面にそれぞれ固定される。つまり、上梁部材21、下梁部材22、および複数の支柱部材23によって構成される枠体の両面に、梁用構造用面材24が固定される。また、梁用構造用面材24は、その周縁部を、上梁部材21と下梁部材22といずれかの支柱部材23とに釘で打ち付けられる。具体的には、例えば、梁用構造用面材24は、上端縁を、上梁部材21に釘で打ち付けられ、かつ、下端縁を、下梁部材22に釘で打ち付けられ、かつ、一方の側端縁を、第２支柱部材23bに釘で打ち付けられ、かつ、他方の側端縁を、第３支柱部材23cに釘で打ち付けられる。
【００２７】
そして、上梁部材21、下梁部材22、および複数の支柱部材23により構成される枠体の両面に梁用構造用面材24が固定されることによって、ボックスビームが構成される。このようにして、本発明では、梁体20は、ボックスビーム状に形成される。
また、本発明では、第１柱体30は、少なくとも、第１柱部材31と、第２柱部材32と、第１上梁高横架部材33と、第１下梁高横架部材34と、複数の下方横架部材35と、第１柱用構造用面材37とを備える。
また、「第１柱部材31および第２柱部材32」は、所定間隔をあけて並列に立設される。
また、「第１上梁高横架部材33」は、第１柱部材31と第２柱部材32との間であって、上梁部材21と同じ高さの位置に設けられる。つまり、第１上梁高横架部材33は、第１柱部材31と第２柱部材32との間であって、上梁部材21の高さに相当する位置に設けられる。また、第１上梁高横架部材33は、一端を第１柱部材31の側面に、他端を第２柱部材32の側面に、それぞれ接合される。
【００２８】
また、「第１下梁高横架部材34」は、第１柱部材31と第２柱部材32との間であって、下梁部材22と同じ高さの位置に設けられる。つまり、第１下梁高横架部材34は、第１柱部材31と第２柱部材32との間であって、下梁部材22の高さに相当する位置に設けられる。また、第１下梁高横架部材34は、一端を第１柱部材31の側面に、他端を第２柱部材32の側面に、それぞれ接合される。
また、「下方横架部材35」は、第１柱部材31と第２柱部材32との間であって、第１下梁高横架部材34よりも下方の位置に設けられる。つまり、下方横架部材35は、第１柱部材31と第２柱部材32との間であって、第１下梁高横架部材34よりも低い位置に設けられる。また、下方横架部材35は、一端を第１柱部材31の側面に、他端を第２柱部材32の側面に、それぞれ接合される。また、下方横架部材35は、複数設けられる。例えば、第１から第４までの４本の下方横架部材35を設けることができる。
【００２９】
そして、第１柱部材31、第２柱部材32、第１上梁高横架部材33、第１下梁高横架部材34、および複数の下方横架部材35によって、枠体が構成される。
また、「第１柱用構造用面材37」は、第１柱部材31、第２柱部材32、第１上梁高横架部材33、第１下梁高横架部材34、および複数の下方横架部材35によって構成される枠体の正面および背面にそれぞれ固定される。つまり、第１柱部材31、第２柱部材32、第１上梁高横架部材33、第１下梁高横架部材34、および複数の下方横架部材35によって構成される枠体の両面に、第１柱用構造用面材37が固定される。また、第１柱用構造用面材37は、その周縁部を、第１柱部材31と第２柱部材32といずれかの下方横架部材35とに釘で打ち付けられる。具体的には、例えば、第１柱用構造用面材37は、上端縁を、第１下方横架部材35aに釘で打ち付けられ、かつ、下端縁を、第４下方横架部材35dに釘で打ち付けられ、かつ、一方の側端縁を、第１柱部材31に釘で打ち付けられ、かつ、他方の側端縁を、第２柱部材32に釘で打ち付けられる。
【００３０】
そして、第１柱部材31、第２柱部材32、第１上梁高横架部材33、第１下梁高横架部材34、および複数の下方横架部材35により構成される枠体の両面に第１柱用構造用面材37が固定されることによって、ボックスビームが構成される。このようにして、本発明では、第１柱体30は、ボックスビーム状に形成される。
また、本発明では、第２柱体40は、少なくとも、第３柱部材41と、第４柱部材42と、第２上梁高横架部材43と、第２下梁高横架部材44と、複数の下方横架部材35と、第２柱用構造用面材47とを備える。
また、「第３柱部材41および第４柱部材42」は、所定間隔をあけて並列に立設される。
【００３１】
また、「第２上梁高横架部材43」は、第３柱部材41と第４柱部材42との間であって、上梁部材21と同じ高さの位置に設けられる。つまり、第２上梁高横架部材43は、第３柱部材41と第４柱部材42との間であって、上梁部材21の高さに相当する位置に設けられる。また、第２上梁高横架部材43は、一端を第３柱部材41の側面に、他端を第４柱部材42の側面に、それぞれ接合される。
また、「第２下梁高横架部材44」は、第３柱部材41と第４柱部材42との間であって、下梁部材22と同じ高さの位置に設けられる。つまり、第２下梁高横架部材44は、第３柱部材41と第４柱部材42との間であって、下梁部材22の高さに相当する位置に設けられる。また、第２下梁高横架部材44は、一端を第３柱部材41の側面に、他端を第４柱部材42の側面に、それぞれ接合される。
【００３２】
また、「下方横架部材35」は、第３柱部材41と第４柱部材42との間であって、第２下梁高横架部材44よりも下方の位置に設けられる。つまり、下方横架部材35は、第３柱部材41と第４柱部材42との間であって、第２下梁高横架部材44よりも低い位置に設けられる。また、下方横架部材35は、一端を第３柱部材41の側面に、他端を第４柱部材42の側面に、それぞれ接合される。また、下方横架部材35は、複数設けられる。例えば、第１から第４までの４本の下方横架部材35を設けることができる。
そして、第３柱部材41、第４柱部材42、第２上梁高横架部材43、第２下梁高横架部材44、および複数の下方横架部材35によって、枠体が構成される。
【００３３】
また、「第２柱用構造用面材47」は、第３柱部材41、第４柱部材42、第２上梁高横架部材43、第２下梁高横架部材44、および複数の下方横架部材35によって構成される枠体の正面および背面にそれぞれ固定される。つまり、第３柱部材41、第４柱部材42、第２上梁高横架部材43、第２下梁高横架部材44、および複数の下方横架部材35によって構成される枠体の両面に、第２柱用構造用面材47が固定される。また、第２柱用構造用面材47は、その周縁部を、第３柱部材41と第４柱部材42といずれかの下方横架部材35とに釘で打ち付けられる。具体的には、例えば、第２柱用構造用面材47は、上端縁を、第１下方横架部材35aに釘で打ち付けられ、かつ、下端縁を、第４下方横架部材35dに釘で打ち付けられ、かつ、一方の側端縁を、第３柱部材41に釘で打ち付けられ、かつ、他方の側端縁を、第４柱部材42に釘で打ち付けられる。
【００３４】
そして、第３柱部材41、第４柱部材42、第２上梁高横架部材43、第２下梁高横架部材44、および複数の下方横架部材35により構成される枠体の両面に第２柱用構造用面材47が固定されることによって、ボックスビームが構成される。このようにして、本発明では、第２柱体40は、ボックスビーム状に形成される。
また、上梁部材21と第１上梁高横架部材33とは、一端を上梁部材21の下面に他端を第１上梁高横架部材33の下面にそれぞれ固定された引き寄せ金物90によって、互いに引き寄せられる。つまり、上梁部材21と第１上梁高横架部材33とは、引き寄せ金物90によって互いに引き寄せられ、また、この引き寄せ金物90は、一端を上梁部材21の下面に、他端を第１上梁高横架部材33の下面に、それぞれ固定される。
【００３５】
また、下梁部材22と第１下梁高横架部材34とは、一端を下梁部材22の上面に他端を第１下梁高横架部材34の上面にそれぞれ固定された引き寄せ金物90によって、互いに引き寄せられる。つまり、下梁部材22と第１下梁高横架部材34とは、引き寄せ金物90によって互いに引き寄せられ、また、この引き寄せ金物90は、一端を下梁部材22の上面に、他端を第１下梁高横架部材34の上面に、それぞれ固定される。
また、上梁部材21と第２上梁高横架部材43とは、一端を上梁部材21の下面に他端を第２上梁高横架部材43の下面にそれぞれ固定された引き寄せ金物90によって、互いに引き寄せられる。つまり、上梁部材21と第２上梁高横架部材43とは、引き寄せ金物90によって互いに引き寄せられ、また、この引き寄せ金物90は、一端を上梁部材21の下面に、他端を第２上梁高横架部材43の下面に、それぞれ固定される。
【００３６】
また、下梁部材22と第２下梁高横架部材44とは、一端を下梁部材22の上面に他端を第２下梁高横架部材44の上面にそれぞれ固定された引き寄せ金物90によって、互いに引き寄せられる。つまり、下梁部材22と第２下梁高横架部材44とは、引き寄せ金物90によって互いに引き寄せられ、また、この引き寄せ金物90は、一端を下梁部材22の上面に、他端を第２下梁高横架部材44の上面に、それぞれ固定される。
また、これらの引き寄せ金物90は、いずれも、一直線上に並ぶ部材同士を互いに引き寄せている。つまり、これらの引き寄せ金物90が引き寄せる２つの部材は、いずれも、一直線上に並んでいるものであり、直交するものではない。
【００３７】
また、これらの引き寄せ金物90は、いずれも、第１柱体30や第２柱体40や梁体20を構成する枠体の内側に位置する。また、これらの引き寄せ金物90としては、例えば、ホールダウン金物90を用いることができる。
本発明によれば、第１柱体30、第２柱体40、および梁体20をボックスビーム状に形成するとともに、上梁部材21と第１上梁高横架部材33とを引き寄せ金物90で互いに引き寄せ、下梁部材22と第１下梁高横架部材34とを引き寄せ金物90で互いに引き寄せ、上梁部材21と第２上梁高横架部材43とを引き寄せ金物90で互いに引き寄せ、下梁部材22と第２下梁高横架部材44とを引き寄せ金物90で互いに引き寄せることにより、梁体20と第１柱体30および第２柱体40とを剛接合としている。このため、門型フレーム10に水平方向の大きな力が加わっても、門型フレーム10全体が菱型になるような変形が生じないようにすることができ、ひいては十分な耐力を発揮する門型フレーム10を提供できる。
【００３８】
（請求項４）
請求項４記載の発明は、門型フレーム10に係るものであって、所定間隔をあけて並列に立設されている第１柱体30および第２柱体40と、第１柱体30と第２柱体40との間に架け渡され、一端付近の下面を第１柱体30の上面に、他端付近の下面を第２柱体40の上面に、それぞれ接合されている梁体20とを備え、梁体20における、第１柱体30の上方に位置する部分を、第１柱上部分58とし、梁体20における、第２柱体40の上方に位置する部分を、第２柱上部分68とし、梁体20における、第１柱体30よりも第２柱体40側かつ第２柱体40よりも第１柱体30側に位置する部分を、柱間部分57とし、梁体20と第１柱体30との接合部の正面および背面には、それぞれ、柱間部分57と第１柱上部分58と第１柱体30とに跨るＬ字形の第１構造用面材50がその周縁部を梁体20および第１柱体30に釘で打ち付けられて固定されているとともに、梁体20と第２柱体40との接合部の正面および背面には、それぞれ、柱間部分57と第２柱上部分68と第２柱体40とに跨るＬ字形の第２構造用面材60がその周縁部を梁体20および第２柱体40に釘で打ち付けられて固定されていることを特徴とする。
【００３９】
ここで、「第１柱体30および第２柱体40」は、所定間隔をあけて並列に立設される。
また、「梁体20」は、第１柱体30と第２柱体40との間に架け渡される。また、梁体20は、第１柱体30および第２柱体40と直交する。また、梁体20は、一端付近の下面を、第１柱体30の上面に、他端付近の下面を、第２柱体40の上面に、それぞれ接合される。つまり、本発明に係る門型フレーム10は、いわゆる「梁勝ち」の門型フレーム10である。
また、第１柱体30も、第２柱体40も、梁体20も、いずれも、例えば、無垢材を用いて構成してもよく、また、集成材を用いて構成してもよく、また、複数の材からなる枠体を用いて構成してもよく、また、ボックスビームを用いて構成してもよい。
【００４０】
また、「第１柱上部分58」とは、梁体20における、第１柱体30の上方に位置する部分をいう。つまり、第１柱上部分58とは、梁体20における、第１柱体30の真上に相当する部分をいう。
また、「第２柱上部分68」とは、梁体20における、第２柱体40の上方に位置する部分をいう。つまり、第２柱上部分68とは、梁体20における、第２柱体40の真上に相当する部分をいう。
また、「柱間部分57」とは、梁体20における、第１柱体30よりも第２柱体40側、かつ、第２柱体40よりも第１柱体30側に位置する部分をいう。つまり、柱間部分57とは、梁体20における、第１柱体30と第２柱体40との間に相当する部分をいう。更に換言すれば、柱間部分57とは、梁体20における、第１柱上部分58と第２柱上部分68との間の部分をいう。梁体20は、柱間部分57を有するとともに、その一方側には、第１柱上部分58を有し、他方側には、第２柱上部分68を有する。
【００４１】
また、「第１構造用面材50」は、柱間部分57と第１柱上部分58と第１柱体30との３つの部分に跨るＬ字形の面材である。また、第１構造用面材50は、梁体20と第１柱体30との接合部の正面および背面にそれぞれ固定される。つまり、第１構造用面材50は、梁体20と第１柱体30との接合部の両面に固定される。つまり、本発明に係る門型フレーム10は、第１構造用面材50を２枚備え、一方の第１構造用面材50は、梁体20と第１柱体30との接合部の正面に固定され、他方の第１構造用面材50は、同接合部の背面に固定される。梁体20と第１柱体30との接合部は、２枚の第１構造用面材50によって挟まれるようにして固定される。また、各第１構造用面材50は、それぞれ、その周縁部を、梁体20および第１柱体30に釘で打ち付けられる。
【００４２】
また、「第２構造用面材60」は、柱間部分57と第２柱上部分68と第２柱体40との３つの部分に跨るＬ字形の面材である。また、第２構造用面材60は、梁体20と第２柱体40との接合部の正面および背面にそれぞれ固定される。つまり、第２構造用面材60は、梁体20と第２柱体40との接合部の両面に固定される。つまり、本発明に係る門型フレーム10は、第２構造用面材60を２枚備え、一方の第２構造用面材60は、梁体20と第２柱体40との接合部の正面に固定され、他方の第２構造用面材60は、同接合部の背面に固定される。梁体20と第２柱体40との接合部は、２枚の第２構造用面材60によって挟まれるようにして固定される。また、各第２構造用面材60は、それぞれ、その周縁部を、梁体20および第２柱体40に釘で打ち付けられる。
【００４３】
また、第１構造用面材50も、第２構造用面材60も、いずれも、例えば、一般的な規格に適合する１枚の長方形の構造用面材をＬ字形にカットすることによって形成できる。また、例えば、１枚の長方形の構造用面材から、２枚の第１構造用面材50あるいは第２構造用面材60を切り出すことができる。
本発明によれば、梁体20と第１柱体30との接合部の両面に、柱間部分57と第１柱上部分58と第１柱体30とに跨るＬ字形の第１構造用面材50を釘で打ち付けて固定するとともに、梁体20と第２柱体40との接合部の両面にも、柱間部分57と第２柱上部分68と第２柱体40とに跨るＬ字形の第２構造用面材60を釘で打ち付けて固定しているので、柱体における、構造用面材が貼り付けられている部分と貼り付けられていない部分との境目で、柱体が破壊されないようにすることができ、これにより、十分な耐力を発揮し、かつ、材料費が比較的安価であり、かつ、施工が比較的容易な門型フレーム10を提供できる。
【００４４】
（請求項５）
請求項５記載の発明は、請求項４記載の発明を限定したものであって、第１柱上部分58の中心を第１柱上部中心59とし、梁体20と第１柱体30との接合面の中心を第１柱接合中心54とし、第１柱上部中心59と第１柱接合中心54とを結ぶ線を第１結線55とし、第１結線55上における第１柱上部中心59付近の所定の点を第１柱回転中心56とし、第２柱上部分68の中心を第２柱上部中心69とし、梁体20と第２柱体40との接合面の中心を第２柱接合中心64とし、第２柱上部中心69と第２柱接合中心64とを結ぶ線を第２結線65とし、第２結線65上における第２柱上部中心69付近の所定の点を第２柱回転中心66とし、各第１構造用面材50は、それぞれ、その下端縁および第２柱体40側端縁が、第１柱回転中心56を中心とする球の接線上に位置するように形成され、各第２構造用面材60は、それぞれ、その下端縁および第１柱体30側端縁が、第２柱回転中心66を中心とする球の接線上に位置するように形成されていることを特徴とする。
【００４５】
ここで、「第１柱上部中心59」とは、第１柱上部分58の中心をいう。
また、「第１柱接合中心54」とは、梁体20と第１柱体30との接合面の中心をいう。
また、「第１結線55」とは、第１柱上部中心59と第１柱接合中心54とを結ぶ線をいう。
また、「第１柱回転中心56」とは、第１結線55上における第１柱上部中心59付近の所定の点をいう。
また、「第２柱上部中心69」とは、第２柱上部分68の中心をいう。
また、「第２柱接合中心64」とは、梁体20と第２柱体40との接合面の中心をいう。
また、「第２結線65」とは、第２柱上部中心69と第２柱接合中心64とを結ぶ線をいう。
【００４６】
また、「第２柱回転中心66」とは、第２結線65上における第２柱上部中心69付近の所定の点をいう。
またここで、いわゆる「梁勝ち」の門型フレーム10にあっては、水平方向の大きな力が加わると、本発明で定義した第１柱回転中心56および第２柱回転中心66を中心にして、門型フレーム10全体が菱型になるように変形しようとする。
そこで、本発明では、下端縁および第２柱体40側端縁が、第１柱回転中心56を中心とする球の接線上に位置するように、各第１構造用面材50を形成している。
ここで、「第１構造用面材50の下端縁」とは、第１構造用面材50の端縁のうち、最も下側の端縁をいう。
【００４７】
また、「第１構造用面材50の第２柱体40側端縁」とは、第１構造用面材50の端縁のうち、最も第２柱体40側の端縁をいう。
そして、本発明では、「第１柱回転中心56を中心とする球」を想定し、下端縁および第２柱体40側端縁が、第１柱回転中心56を中心とする球の接線上に位置するように、第１構造用面材50の寸法を設定している。つまり、本発明では、第１柱回転中心56から第１構造用面材50の下端縁までの距離と、第１柱回転中心56から第１構造用面材50の第２柱体40側端縁までの距離とがほぼ等しくなるようにしている。
また、本発明では、下端縁および第１柱体30側端縁が、第２柱回転中心66を中心とする球の接線上に位置するように、各第２構造用面材60を形成している。
【００４８】
ここで、「第２構造用面材60の下端縁」とは、第２構造用面材60の端縁のうち、最も下側の端縁をいう。
また、「第２構造用面材60の第１柱体30側端縁」とは、第２構造用面材60の端縁のうち、最も第１柱体30側の端縁をいう。
そして、本発明では、「第２柱回転中心66を中心とする球」を想定し、下端縁および第１柱体30側端縁が、第２柱回転中心66を中心とする球の接線上に位置するように、第２構造用面材60の寸法を設定している。つまり、本発明では、第２柱回転中心66から第２構造用面材60の下端縁までの距離と、第２柱回転中心66から第２構造用面材60の第１柱体30側端縁までの距離とがほぼ等しくなるようにしている。
【００４９】
本発明によれば、門型フレーム10に水平方向の大きな力が加わった際に、第１構造用面材50の下端縁と第２柱体40側端縁とに加わる力がほぼ等しくなるとともに、第２構造用面材60の下端縁と第１柱体30側端縁とに加わる力がほぼ等しくなる。つまり、門型フレーム10に水平方向の大きな力が加わった際に、第１構造用面材50の下端縁または第２柱体40側端縁のいずれか一方にのみ無理な力が加わるようなことがなく、また、第２構造用面材60の下端縁または第１柱体30側端縁のいずれか一方にのみ無理な力が加わるようなこともない。これにより、第１構造用面材50および第２構造用面材60が破壊されにくくなり、十分な耐力を発揮する門型ラーメンフレームを提供できる。
【００５０】
（請求項６）
請求項６記載の発明は、請求項４または５記載の発明を限定したものであって、第１柱体30は、少なくとも、所定間隔をあけて並列に立設されている第１柱部材31および第２柱部材32と、第１柱部材31と第２柱部材32との間に設けられかつ一端を第１柱部材31の側面に他端を第２柱部材32の側面にそれぞれ接合されている複数の横架部材38とを備えるとともに、これらによって構成される枠体の正面および背面に、それぞれ、その周縁部を第１柱部材31と第２柱部材32といずれかの横架部材38とに釘で打ち付けられて固定されている第１柱用構造用面材37を備えることにより、ボックスビーム状に形成され、第２柱体40は、少なくとも、所定間隔をあけて並列に立設されている第３柱部材41および第４柱部材42と、第３柱部材41と第４柱部材42との間に設けられかつ一端を第３柱部材41の側面に他端を第４柱部材42の側面にそれぞれ接合されている複数の横架部材38とを備えるとともに、これらによって構成される枠体の正面および背面に、それぞれ、その周縁部を第３柱部材41と第４柱部材42といずれかの横架部材38とに釘で打ち付けられて固定されている第２柱用構造用面材47を備えることにより、ボックスビーム状に形成され、梁体20は、少なくとも、第１柱体30から第２柱体40まで至る上梁部材21と、上梁部材21の下方に設けられかつ上梁部材21と平行に延びかつ第１柱体30から第２柱体40まで至る下梁部材22と、上梁部材21と下梁部材22との間であって第１柱部材31の上方にあたる位置に設けられかつ上端を上梁部材21の下面に下端を下梁部材22の上面にそれぞれ接合されている第１支柱部材23aと、上梁部材21と下梁部材22との間であって第２柱部材32の上方にあたる位置に設けられかつ上端を上梁部材21の下面に下端を下梁部材22の上面にそれぞれ接合されている第２支柱部材23bと、上梁部材21と下梁部材22との間であって第３柱部材41の上方にあたる位置に設けられかつ上端を上梁部材21の下面に下端を下梁部材22の上面にそれぞれ接合されている第３支柱部材23cと、上梁部材21と下梁部材22との間であって第４柱部材42の上方にあたる位置に設けられかつ上端を上梁部材21の下面に下端を下梁部材22の上面にそれぞれ接合されている第４支柱部材23dと、上梁部材21と下梁部材22との間であって第１柱体30と第２柱体40との間の位置に設けられかつ上端を上梁部材21の下面に下端を下梁部材22の上面にそれぞれ接合されている複数の中間支柱部材27とを備えるとともに、これらによって構成される枠体の正面および背面に、それぞれ、その周縁部を上梁部材21と下梁部材22といずれかの中間支柱部材27とに釘で打ち付けられて固定されている梁用構造用面材24を備えることにより、ボックスビーム状に形成され、第１柱部材31と第１支柱部材23aとは、一端を第１柱部材31における第２柱部材32側の側面に他端を第１支柱部材23aにおける第２支柱部材23b側の側面にそれぞれ固定された引き寄せ金物90によって、互いに引き寄せられ、第２柱部材32と第２支柱部材23bとは、一端を第２柱部材32における第１柱部材31側の側面に他端を第２支柱部材23bにおける第１支柱部材23a側の側面にそれぞれ固定された引き寄せ金物90によって、互いに引き寄せられ、第３柱部材41と第３支柱部材23cとは、一端を第３柱部材41における第４柱部材42側の側面に他端を第３支柱部材23cにおける第４支柱部材23d側の側面にそれぞれ固定された引き寄せ金物90によって、互いに引き寄せられ、第４柱部材42と第４支柱部材23dとは、一端を第４柱部材42における第３柱部材41側の側面に他端を第４支柱部材23dにおける第３支柱部材23c側の側面にそれぞれ固定された引き寄せ金物90によって、互いに引き寄せられていることを特徴とする。
【００５１】
ここで、本発明では、第１柱体30は、少なくとも、第１柱部材31と、第２柱部材32と、複数の横架部材38と、第１柱用構造用面材37とを備える。
また、「第１柱部材31および第２柱部材32」は、所定間隔をあけて並列に立設される。
また、「横架部材38」は、第１柱部材31と第２柱部材32との間に設けられる。また、横架部材38は、一端を第１柱部材31の側面に、他端を第２柱部材32の側面に、それぞれ接合される。また、横架部材38は、複数設けられる。例えば、第１から第４までの４本の横架部材38を設けることができる。
そして、第１柱部材31、第２柱部材32、および複数の横架部材38によって、枠体が構成される。
【００５２】
また、「第１柱用構造用面材37」は、第１柱部材31、第２柱部材32、および複数の横架部材38によって構成される枠体の正面および背面にそれぞれ固定される。つまり、第１柱部材31、第２柱部材32、および複数の横架部材38によって構成される枠体の両面に、第１柱用構造用面材37が固定される。また、第１柱用構造用面材37は、その周縁部を、第１柱部材31と第２柱部材32といずれかの横架部材38とに釘で打ち付けられる。具体的には、例えば、第１柱用構造用面材37は、上端縁を、第１横架部材38aに釘で打ち付けられ、かつ、下端縁を、第４横架部材38dに釘で打ち付けられ、かつ、一方の側端縁を、第１柱部材31に釘で打ち付けられ、かつ、他方の側端縁を、第２柱部材32に釘で打ち付けられる。
【００５３】
そして、第１柱部材31、第２柱部材32、および複数の横架部材38により構成される枠体の両面に第１柱用構造用面材37が固定されることによって、ボックスビームが構成される。このようにして、本発明では、第１柱体30は、ボックスビーム状に形成される。
また、本発明では、第２柱体40は、少なくとも、第３柱部材41と、第４柱部材42と、複数の横架部材38と、第２柱用構造用面材47とを備える。
また、「第３柱部材41および第４柱部材42」は、所定間隔をあけて並列に立設される。
また、「横架部材38」は、第３柱部材41と第４柱部材42との間に設けられる。また、横架部材38は、一端を第３柱部材41の側面に、他端を第４柱部材42の側面に、それぞれ接合される。また、横架部材38は、複数設けられる。例えば、第１から第４までの４本の横架部材38を設けることができる。
【００５４】
そして、第３柱部材41、第４柱部材42、および複数の横架部材38によって、枠体が構成される。
また、「第２柱用構造用面材47」は、第３柱部材41、第４柱部材42、および複数の横架部材38によって構成される枠体の正面および背面にそれぞれ固定される。つまり、第３柱部材41、第４柱部材42、および複数の横架部材38によって構成される枠体の両面に、第２柱用構造用面材47が固定される。また、第２柱用構造用面材47は、その周縁部を、第３柱部材41と第４柱部材42といずれかの横架部材38とに釘で打ち付けられる。具体的には、例えば、第２柱用構造用面材47は、上端縁を、第１横架部材38aに釘で打ち付けられ、かつ、下端縁を、第４横架部材38dに釘で打ち付けられ、かつ、一方の側端縁を、第３柱部材41に釘で打ち付けられ、かつ、他方の側端縁を、第４柱部材42に釘で打ち付けられる。
【００５５】
そして、第３柱部材41、第４柱部材42、および複数の横架部材38により構成される枠体の両面に第２柱用構造用面材47が固定されることによって、ボックスビームが構成される。このようにして、本発明では、第２柱体40は、ボックスビーム状に形成される。
また、本発明では、梁体20は、少なくとも、上梁部材21と、下梁部材22と、第１支柱部材23aと、第２支柱部材23bと、第３支柱部材23cと、第４支柱部材23dと、複数の中間支柱部材27と、梁用構造用面材24とを備える。
また、「上梁部材21」は、第１柱体30から第２柱体40まで至る。
また、「下梁部材22」は、上梁部材21の下方に設けられ、かつ、上梁部材21と平行に延び、かつ、第１柱体30から第２柱体40まで至る。
【００５６】
つまり、「上梁部材21および下梁部材22」は、双方とも水平方向に延び、上梁部材21が上、下梁部材22が下になるようにして、所定間隔をあけて並列に設けられる。
また、「第１支柱部材23a」は、上梁部材21と下梁部材22との間であって、第１柱部材31の上方にあたる位置に設けられる。つまり、第１支柱部材23aは、上梁部材21と下梁部材22との間であって、第１柱部材31の真上に相当する位置に設けられる。第１支柱部材23aと第１柱部材31とは、一直線上に並ぶ。また、第１支柱部材23aは、上端を上梁部材21の下面に、下端を下梁部材22の上面に、それぞれ接合される。
また、「第２支柱部材23b」は、上梁部材21と下梁部材22との間であって、第２柱部材32の上方にあたる位置に設けられる。つまり、第２支柱部材23bは、上梁部材21と下梁部材22との間であって、第２柱部材32の真上に相当する位置に設けられる。第２支柱部材23bと第２柱部材32とは、一直線上に並ぶ。また、第２支柱部材23bは、上端を上梁部材21の下面に、下端を下梁部材22の上面に、それぞれ接合される。
【００５７】
また、「第３支柱部材23c」は、上梁部材21と下梁部材22との間であって、第３柱部材41の上方にあたる位置に設けられる。つまり、第３支柱部材23cは、上梁部材21と下梁部材22との間であって、第３柱部材41の真上に相当する位置に設けられる。第３支柱部材23cと第３柱部材41とは、一直線上に並ぶ。また、第３支柱部材23cは、上端を上梁部材21の下面に、下端を下梁部材22の上面に、それぞれ接合される。
また、「第４支柱部材23d」は、上梁部材21と下梁部材22との間であって、第４柱部材42の上方にあたる位置に設けられる。つまり、第４支柱部材23dは、上梁部材21と下梁部材22との間であって、第４柱部材42の真上に相当する位置に設けられる。第４支柱部材23dと第４柱部材42とは、一直線上に並ぶ。また、第４支柱部材23dは、上端を上梁部材21の下面に、下端を下梁部材22の上面に、それぞれ接合される。
【００５８】
また、「中間支柱部材27」は、上梁部材21と下梁部材22との間であって、第１柱体30と第２柱体40との間の位置に設けられる。また、中間支柱部材27は、上端を上梁部材21の下面に、下端を下梁部材22の上面に、それぞれ接合される。また、中間支柱部材27は、複数設けられる。例えば、第１から第４までの４本の中間支柱部材27を設けることができる。
そして、上梁部材21、下梁部材22、第１支柱部材23a、第２支柱部材23b、第３支柱部材23c、第４支柱部材23d、および複数の中間支柱部材27によって、枠体が構成される。
また、「梁用構造用面材24」は、上梁部材21、下梁部材22、第１支柱部材23a、第２支柱部材23b、第３支柱部材23c、第４支柱部材23d、および複数の中間支柱部材27によって構成される枠体の正面および背面にそれぞれ固定される。つまり、上梁部材21、下梁部材22、第１支柱部材23a、第２支柱部材23b、第３支柱部材23c、第４支柱部材23d、および複数の中間支柱部材27によって構成される枠体の両面に、梁用構造用面材24が固定される。また、梁用構造用面材24は、その周縁部を、上梁部材21と下梁部材22といずれかの中間支柱部材27とに釘で打ち付けられる。具体的には、例えば、梁用構造用面材24は、上端縁を、上梁部材21に釘で打ち付けられ、かつ、下端縁を、下梁部材22に釘で打ち付けられ、かつ、一方の側端縁を、第１中間支柱部材27aに釘で打ち付けられ、かつ、他方の側端縁を、第２中間支柱部材27bに釘で打ち付けられる。
【００５９】
そして、上梁部材21、下梁部材22、第１支柱部材23a、第２支柱部材23b、第３支柱部材23c、第４支柱部材23d、および複数の中間支柱部材27により構成される枠体の両面に梁用構造用面材24が固定されることによって、ボックスビームが構成される。このようにして、本発明では、梁体20は、ボックスビーム状に形成される。
また、第１柱部材31と第１支柱部材23aとは、一端を第１柱部材31における第２柱部材32側の側面に他端を第１支柱部材23aにおける第２支柱部材23b側の側面にそれぞれ固定された引き寄せ金物90によって、互いに引き寄せられる。つまり、第１柱部材31と第１支柱部材23aとは、引き寄せ金物90によって互いに引き寄せられ、この引き寄せ金物90は、一端を、第１柱部材31における第２柱部材32側の側面に、他端を、第１支柱部材23aにおける第２支柱部材23b側の側面に、それぞれ固定される。
【００６０】
また、第２柱部材32と第２支柱部材23bとは、一端を第２柱部材32における第１柱部材31側の側面に他端を第２支柱部材23bにおける第１支柱部材23a側の側面にそれぞれ固定された引き寄せ金物90によって、互いに引き寄せられる。つまり、第２柱部材32と第２支柱部材23bとは、引き寄せ金物90によって互いに引き寄せられ、この引き寄せ金物90は、一端を、第２柱部材32における第１柱部材31側の側面に、他端を、第２支柱部材23bにおける第１支柱部材23a側の側面に、それぞれ固定される。
また、第３柱部材41と第３支柱部材23cとは、一端を第３柱部材41における第４柱部材42側の側面に他端を第３支柱部材23cにおける第４支柱部材23d側の側面にそれぞれ固定された引き寄せ金物90によって、互いに引き寄せられる。つまり、第３柱部材41と第３支柱部材23cとは、引き寄せ金物90によって互いに引き寄せられ、この引き寄せ金物90は、一端を、第３柱部材41における第４柱部材42側の側面に、他端を、第３支柱部材23cにおける第４支柱部材23d側の側面に、それぞれ固定される。
【００６１】
また、第４柱部材42と第４支柱部材23dとは、一端を第４柱部材42における第３柱部材41側の側面に他端を第４支柱部材23dにおける第３支柱部材23c側の側面にそれぞれ固定された引き寄せ金物90によって、互いに引き寄せられる。つまり、第４柱部材42と第４支柱部材23dとは、引き寄せ金物90によって互いに引き寄せられ、この引き寄せ金物90は、一端を、第４柱部材42における第３柱部材41側の側面に、他端を、第４支柱部材23dにおける第３支柱部材23c側の側面に、それぞれ固定される。
また、これらの引き寄せ金物90は、いずれも、一直線上に並ぶ部材同士を互いに引き寄せている。つまり、これらの引き寄せ金物90が引き寄せる２つの部材は、いずれも、一直線上に並んでいるものであり、直交するものではない。
【００６２】
また、これらの引き寄せ金物90は、いずれも、第１柱体30や第２柱体40や梁体20を構成する枠体の内側に位置する。また、これらの引き寄せ金物90としては、例えば、ホールダウン金物90を用いることができる。
本発明によれば、第１柱体30、第２柱体40、および梁体20をボックスビーム状に形成するとともに、第１柱部材31と第１支柱部材23aとを引き寄せ金物90で互いに引き寄せ、第２柱部材32と第２支柱部材23bとを引き寄せ金物90で互いに引き寄せ、第３柱部材41と第３支柱部材23cとを引き寄せ金物90で互いに引き寄せ、第４柱部材42と第４支柱部材23dとを引き寄せ金物90で互いに引き寄せることにより、梁体20と第１柱体30および第２柱体40とを剛接合としている。このため、門型フレーム10に水平方向の大きな力が加わっても、門型フレーム10全体が菱型になるような変形が生じないようにすることができ、ひいては十分な耐力を発揮する門型フレーム10を提供できる。
【発明の効果】
【００６３】
（請求項１）
請求項１記載の発明によれば、梁体と第１柱体との接合部に、梁体と第１柱梁高部分と第１柱梁下部分とに跨るＬ字形の第１構造用面材を釘で打ち付けて固定するとともに、梁体と第２柱体との接合部にも、梁体と第２柱梁高部分と第２柱梁下部分とに跨るＬ字形の第２構造用面材を釘で打ち付けて固定したことから、柱体における、構造用面材が貼り付けられている部分と貼り付けられていない部分との境目で、柱体が破壊されないようにすることができ、ひいては、十分な耐力を発揮し、かつ、材料費が比較的安価であり、かつ、施工が比較的容易な門型フレームを提供できる。
【００６４】
（請求項２）
請求項２記載の発明によれば、下端縁および第２柱体側端縁が、第１柱回転中心を中心とする球の接線上に位置するように、各第１構造用面材を形成するとともに、下端縁および第１柱体側端縁が、第２柱回転中心を中心とする球の接線上に位置するように、各第２構造用面材を形成したことから、門型フレームに水平方向の大きな力が加わった際に、構造用面材の下端縁と他方の柱体側の端縁とに加わる力がほぼ等しくなり、構造用面材が破壊されにくくなり、ひいては十分な耐力を発揮する門型フレームを提供できる。
（請求項３）
請求項３記載の発明によれば、第１柱体、第２柱体、および梁体をボックスビーム状に形成するとともに、上梁部材と第１上梁高横架部材とを引き寄せ金物で互いに引き寄せ、下梁部材と第１下梁高横架部材とを引き寄せ金物で互いに引き寄せ、上梁部材と第２上梁高横架部材とを引き寄せ金物で互いに引き寄せ、下梁部材と第２下梁高横架部材とを引き寄せ金物で互いに引き寄せて、梁体と第１柱体および第２柱体とを剛接合としたことから、門型フレームに水平方向の大きな力が加わっても、門型フレーム全体が菱型になるような変形が生じないようにすることができ、ひいては十分な耐力を発揮する門型フレームを提供できる。
【００６５】
（請求項４）
請求項４記載の発明によれば、梁体と第１柱体との接合部に、柱間部分と第１柱上部分と第１柱体とに跨るＬ字形の第１構造用面材を釘で打ち付けて固定するとともに、梁体と第２柱体との接合部にも、柱間部分と第２柱上部分と第２柱体とに跨るＬ字形の第２構造用面材を釘で打ち付けて固定したことから、梁体における、構造用面材が貼り付けられている部分と貼り付けられていない部分との境目で、梁体が破壊されないようにすることができ、ひいては、十分な耐力を発揮し、かつ、材料費が比較的安価であり、かつ、施工が比較的容易な門型フレームを提供できる。
【００６６】
（請求項５）
請求項５記載の発明によれば、下端縁および第２柱体側端縁が、第１柱回転中心を中心とする球の接線上に位置するように、各第１構造用面材を形成するとともに、下端縁および第１柱体側端縁が、第２柱回転中心を中心とする球の接線上に位置するように、各第２構造用面材を形成したことから、門型フレームに水平方向の大きな力が加わった際に、構造用面材の下端縁と他方の柱体側の端縁とに加わる力がほぼ等しくなり、構造用面材が破壊されにくくなり、ひいては十分な耐力を発揮する門型フレームを提供できる。
（請求項６）
請求項６記載の発明によれば、第１柱体、第２柱体、および梁体をボックスビーム状に形成するとともに、第１柱部材と第１支柱部材とを引き寄せ金物で互いに引き寄せ、第２柱部材と第２支柱部材とを引き寄せ金物で互いに引き寄せ、第３柱部材と第３支柱部材とを引き寄せ金物で互いに引き寄せ、第４柱部材と第４支柱部材とを引き寄せ金物で互いに引き寄せて、梁体と第１柱体および第２柱体とを剛接合としたことから、門型フレームに水平方向の大きな力が加わっても、門型フレーム全体が菱型になるような変形が生じないようにすることができ、ひいては十分な耐力を発揮する門型フレームを提供できる。
【発明を実施するための最良の形態】
【００６７】
（第１の実施の形態）
図１ないし図１４は、本発明の第１の実施の形態を示すものである。
図１は、門型フレーム10の正面図、図２ないし図４は、梁体20の正面図、図５ないし図７は、柱体の正面図、図８および図９は、梁体20と柱体との接合および柱体と土台110との接合を示す正面図、図１０および図１１は、梁体20と柱体との接合を示す拡大図、図１２および図１３は、柱体と土台110との接合を示す拡大図、図１４は、梁体20と柱体とを接合する構造用面材の説明図である。
（門型フレーム10の構造）
図１に示すように、本実施の形態に係る門型フレーム10は、所定間隔をあけて並列に立設されている第１柱体30および第２柱体40と、第１柱体30と第２柱体40との間に架け渡され、一端を第１柱体30の側面に、他端を第２柱体40の側面に、それぞれ接合されている梁体20とを備えている。つまり、本実施の形態に係る門型フレーム10は、いわゆる「柱勝ち」の門型フレーム10である。
【００６８】
（梁体20の構造）
図１に示すように、梁体20は、第１柱体30と第２柱体40との間に架け渡されている。また、梁体20は、第１柱体30および第２柱体40の双方と直交している。また、梁体20は、一端を、第１柱体30の側面に、他端を、第２柱体40の側面に、それぞれ接合されている。
また、図１ないし図４に示すように、梁体20は、上梁部材21と、下梁部材22と、５本の支柱部材23と、４枚の梁用構造用面材24とを備えている。
また、上梁部材21は、第１柱体30から第２柱体40まで至っている。
また、下梁部材22は、上梁部材21の下方に設けられ、かつ、上梁部材21と平行に延び、かつ、第１柱体30から第２柱体40まで至っている。
【００６９】
つまり、上梁部材21および下梁部材22は、双方とも水平方向に延び、上梁部材21が上、下梁部材22が下になるようにして、所定間隔をあけて並列に設けられている。
また、各支柱部材23は、上梁部材21と下梁部材22との間に設けられ、かつ、上端を上梁部材21の下面に、下端を下梁部材22の上面に、それぞれ接合されている。
更に、上梁部材21の第１柱体30側端部と下梁部材22の第１柱体30側端部との間には、後述する第１補助柱部材36を収納可能な第１補助柱収納凹部25が設けられている。同様に、上梁部材21の第２柱体40側端部と下梁部材22の第２柱体40側端部との間には、後述する第２補助柱部材46を収納可能な第２補助柱収納凹部26が設けられている。
【００７０】
そして、上梁部材21、下梁部材22、および５本の支柱部材23によって、枠体が構成されている。
また、梁用構造用面材24は、上梁部材21、下梁部材22、および５本の支柱部材23によって構成される枠体の正面および背面にそれぞれ固定されている。つまり、上梁部材21、下梁部材22、および５本の支柱部材23によって構成される枠体の両面に、梁用構造用面材24が固定されている。本実施の形態では、４枚の梁用構造用面材24が備えられており、そのうち２枚は、正面に固定され、あとの２枚は、背面に固定されている。また、正面左側の梁用構造用面材24は、上端縁を、上梁部材21に釘で打ち付けられ、かつ、下端縁を、下梁部材22に釘で打ち付けられ、かつ、左側の側端縁を、第１支柱部材23aに釘で打ち付けられ、かつ、右側の側端縁を、第３支柱部材23cに釘で打ち付けられている。また、正面右側の梁用構造用面材24は、上端縁を、上梁部材21に釘で打ち付けられ、かつ、下端縁を、下梁部材22に釘で打ち付けられ、かつ、左側の側端縁を、第３支柱部材23cに釘で打ち付けられ、かつ、右側の側端縁を、第５支柱部材23eに釘で打ち付けられている。背面についても、正面と同様である。
【００７１】
そして、上梁部材21、下梁部材22、および５本の支柱部材23により構成される枠体の両面に梁用構造用面材24が固定されることによって、ボックスビームが構成されている。このようにして、梁体20は、ボックスビーム状に形成されている。
（第１柱体30の構造）
図１、図５ないし図７に示すように、本実施の形態では、第１柱体30は、第１柱部材31と、第２柱部材32と、第１上梁高横架部材33と、第１下梁高横架部材34と、４本の下方横架部材35と、２枚の第１柱用構造用面材37とを備えている。
また、第１柱部材31および第２柱部材32は、所定間隔をあけて並列に立設されている。
【００７２】
また、第１上梁高横架部材33は、第１柱部材31と第２柱部材32との間であって、上梁部材21と同じ高さの位置に設けられている。つまり、第１上梁高横架部材33は、第１柱部材31と第２柱部材32との間であって、上梁部材21の高さに相当する位置に設けられている。また、第１上梁高横架部材33は、一端を第１柱部材31の側面に、他端を第２柱部材32の側面に、それぞれ接合されている。
また、第１下梁高横架部材34は、第１柱部材31と第２柱部材32との間であって、下梁部材22と同じ高さの位置に設けられている。つまり、第１下梁高横架部材34は、第１柱部材31と第２柱部材32との間であって、下梁部材22の高さに相当する位置に設けられている。また、第１下梁高横架部材34は、一端を第１柱部材31の側面に、他端を第２柱部材32の側面に、それぞれ接合されている。
【００７３】
また、各下方横架部材35は、第１柱部材31と第２柱部材32との間であって、第１下梁高横架部材34よりも下方の位置に設けられている。つまり、各下方横架部材35は、第１柱部材31と第２柱部材32との間であって、第１下梁高横架部材34よりも低い位置に設けられている。また、各下方横架部材35は、一端を第１柱部材31の側面に、他端を第２柱部材32の側面に、それぞれ接合されている。
更に、図６に示すように、第２柱部材32の右側面であって、上梁部材21と下梁部材22との間に相当する位置には、第１補助柱部材36が設けられている。つまり、第１補助柱部材36が設けられている位置は、第２柱部材32における、第１柱部材31とは反対側の側面である。換言すると、第１補助柱部材36が設けられている位置は、第２柱部材32における、第２柱体40側の側面である。更に、第１補助柱部材36が設けられている位置は、上梁部材21と下梁部材22との間に相当する位置である。また、第１補助柱部材36の高さは、上梁部材21と下梁部材22との間隔と等しくしてある。これにより、第１補助柱部材36の上端が、上梁部材21の下面に、第１補助柱部材36の下端が、下梁部材22の上面に、それぞれ当接するようにしてある。そして、第１補助柱部材36は、第２柱部材32の右側面に接合されている。
【００７４】
そして、第１柱部材31、第２柱部材32、第１上梁高横架部材33、第１下梁高横架部材34、および４本の下方横架部材35によって、枠体が構成されている。
また、第１柱用構造用面材37は、第１柱部材31、第２柱部材32、第１上梁高横架部材33、第１下梁高横架部材34、および４本の下方横架部材35によって構成される枠体の正面および背面にそれぞれ固定されている。つまり、第１柱部材31、第２柱部材32、第１上梁高横架部材33、第１下梁高横架部材34、および４本の下方横架部材35によって構成される枠体の両面に、第１柱用構造用面材37が固定されている。本実施の形態では、正面の第１柱用構造用面材37は、上端縁を、第１下方横架部材35aに釘で打ち付けられ、かつ、下端縁を、第３下方横架部材35cに釘で打ち付けられ、かつ、左側の側端縁を、第１柱部材31に釘で打ち付けられ、かつ、右側の側端縁を、第２柱部材32に釘で打ち付けられている。背面についても、正面と同様である。
【００７５】
そして、第１柱部材31、第２柱部材32、第１上梁高横架部材33、第１下梁高横架部材34、および４本の下方横架部材35により構成される枠体の両面に第１柱用構造用面材37が固定されることによって、ボックスビームが構成されている。このようにして、第１柱体30は、ボックスビーム状に形成されている。
（第２柱体40の構造）
本実施の形態では、第２柱体40は、第３柱部材41と、第４柱部材42と、第２上梁高横架部材43と、第２下梁高横架部材44と、４本の下方横架部材35と、２枚の第２柱用構造用面材47とを備えている。第２柱体40は、第１柱体30と左右対称につくられており、その構造は、第１柱体30と同様である。
【００７６】
また、第３柱部材41および第４柱部材42は、所定間隔をあけて並列に立設されている。
また、第２上梁高横架部材43は、第３柱部材41と第４柱部材42との間であって、上梁部材21と同じ高さの位置に設けられている。つまり、第２上梁高横架部材43は、第３柱部材41と第４柱部材42との間であって、上梁部材21の高さに相当する位置に設けられている。また、第２上梁高横架部材43は、一端を第３柱部材41の側面に、他端を第４柱部材42の側面に、それぞれ接合されている。
また、第２下梁高横架部材44は、第３柱部材41と第４柱部材42との間であって、下梁部材22と同じ高さの位置に設けられている。つまり、第２下梁高横架部材44は、第３柱部材41と第４柱部材42との間であって、下梁部材22の高さに相当する位置に設けられている。また、第２下梁高横架部材44は、一端を第３柱部材41の側面に、他端を第４柱部材42の側面に、それぞれ接合されている。
【００７７】
また、各下方横架部材35は、第３柱部材41と第４柱部材42との間であって、第２下梁高横架部材44よりも下方の位置に設けられている。つまり、各下方横架部材35は、第３柱部材41と第４柱部材42との間であって、第２下梁高横架部材44よりも低い位置に設けられている。また、各下方横架部材35は、一端を第３柱部材41の側面に、他端を第４柱部材42の側面に、それぞれ接合されている。
更に、第３柱部材41の左側面であって、上梁部材21と下梁部材22との間に相当する位置には、第２補助柱部材46が設けられている。つまり、第２補助柱部材46が設けられている位置は、第３柱部材41における、第４柱部材42とは反対側の側面である。換言すると、第２補助柱部材46が設けられている位置は、第３柱部材41における、第１柱体30側の側面である。更に、第２補助柱部材46が設けられている位置は、上梁部材21と下梁部材22との間に相当する位置である。また、第２補助柱部材46の高さは、上梁部材21と下梁部材22との間隔と等しくしてある。これにより、第２補助柱部材46の上端が、上梁部材21の下面に、第２補助柱部材46の下端が、下梁部材22の上面に、それぞれ当接するようにしてある。そして、第２補助柱部材46は、第３柱部材41の左側面に接合されている。
【００７８】
そして、第３柱部材41、第４柱部材42、第２上梁高横架部材43、第２下梁高横架部材44、および４本の下方横架部材35によって、枠体が構成されている。
また、第２柱用構造用面材47は、第３柱部材41、第４柱部材42、第２上梁高横架部材43、第２下梁高横架部材44、および４本の下方横架部材35によって構成される枠体の正面および背面にそれぞれ固定されている。つまり、第３柱部材41、第４柱部材42、第２上梁高横架部材43、第２下梁高横架部材44、および４本の下方横架部材35によって構成される枠体の両面に、第２柱用構造用面材47が固定されている。本実施の形態では、正面の第２柱用構造用面材47は、上端縁を、第１下方横架部材35aに釘で打ち付けられ、かつ、下端縁を、第３下方横架部材35cに釘で打ち付けられ、かつ、左側の側端縁を、第３柱部材41に釘で打ち付けられ、かつ、右側の側端縁を、第４柱部材42に釘で打ち付けられている。背面についても、正面と同様である。
【００７９】
そして、第３柱部材41、第４柱部材42、第２上梁高横架部材43、第２下梁高横架部材44、および４本の下方横架部材35により構成される枠体の両面に第２柱用構造用面材47が固定されることによって、ボックスビームが構成されている。このようにして、第２柱体40は、ボックスビーム状に形成されている。
（梁体20と第１柱体30との接合構造）
図８および図９に示すように、上梁部材21と第１上梁高横架部材33とは、一端を上梁部材21の下面に他端を第１上梁高横架部材33の下面にそれぞれ固定された引き寄せ金物90によって、互いに引き寄せられている。つまり、上梁部材21と第１上梁高横架部材33とは、引き寄せ金物90によって互いに引き寄せられ、また、この引き寄せ金物90は、一端を上梁部材21の下面に、他端を第１上梁高横架部材33の下面に、それぞれ固定されている。
【００８０】
また、図８および図９に示すように、下梁部材22と第１下梁高横架部材34とは、一端を下梁部材22の上面に他端を第１下梁高横架部材34の上面にそれぞれ固定された引き寄せ金物90によって、互いに引き寄せられている。つまり、下梁部材22と第１下梁高横架部材34とは、引き寄せ金物90によって互いに引き寄せられ、また、この引き寄せ金物90は、一端を下梁部材22の上面に、他端を第１下梁高横架部材34の上面に、それぞれ固定されている。
また、これらの引き寄せ金物90は、いずれも、一直線上に並ぶ部材同士を互いに引き寄せている。つまり、これらの引き寄せ金物90が引き寄せる２つの部材は、いずれも、一直線上に並んでいるものであり、直交するものではない。
【００８１】
また、これらの引き寄せ金物90は、いずれも、第１柱体30や梁体20を構成する枠体の内側に位置している。また、本実施の形態では、引き寄せ金物90として、ホールダウン金物90を用いている。
また、図１、図８および図９に示すように、第１柱体30における、梁体20と同じ高さに位置する部分を、第１柱梁高部分51とし、第１柱体30における、梁体20よりも下方に位置する部分を、第１柱梁下部分52とする。
そして、図１、図８および図９に示すように、梁体20と第１柱体30との接合部の正面および背面には、それぞれ、梁体20と第１柱梁高部分51と第１柱梁下部分52とに跨るＬ字形の第１構造用面材50がその周縁部を梁体20および第１柱体30に釘で打ち付けられて固定されている。
【００８２】
つまり、第１構造用面材50は、梁体20と第１柱梁高部分51と第１柱梁下部分52との３つの部分に跨るＬ字形の面材である。また、第１構造用面材50は、梁体20と第１柱体30との接合部の正面および背面にそれぞれ固定されている。つまり、第１構造用面材50は、梁体20と第１柱体30との接合部の両面に固定されている。つまり、本実施の形態に係る門型フレーム10は、第１構造用面材50を２枚備え、一方の第１構造用面材50は、梁体20と第１柱体30との接合部の正面に固定され、他方の第１構造用面材50は、同接合部の背面に固定されている。また、各第１構造用面材50は、それぞれ、その周縁部を、梁体20および第１柱体30に釘で打ち付けられている。
【００８３】
また、第１柱梁高部分51の中心を、第１柱梁高中心53とし、また、梁体20と第１柱体30との接合面の中心を、第１柱接合中心54とし、また、第１柱梁高中心53と第１柱接合中心54とを結ぶ線を、第１結線55とし、また、第１結線55上における第１柱梁高中心53付近の所定の点を、第１柱回転中心56とする。
そして、各第１構造用面材50は、それぞれ、その下端縁および第２柱体40側端縁が、第１柱回転中心56を中心とする球の接線上に位置するように形成されている。
つまり、第１構造用面材50の下端縁とは、第１構造用面材50の端縁のうち、最も下側の端縁をいい、また、第１構造用面材50の第２柱体40側端縁とは、第１構造用面材50の端縁のうち、最も第２柱体40側の端縁をいう。
【００８４】
そして、本実施の形態では、第１柱回転中心56を中心とする球を想定し、下端縁および第２柱体40側端縁が、第１柱回転中心56を中心とする球の接線上に位置するように、第１構造用面材50の寸法を設定している。つまり、本実施の形態では、第１柱回転中心56から第１構造用面材50の下端縁までの距離と、第１柱回転中心56から第１構造用面材50の第２柱体40側端縁までの距離とがほぼ等しくなるようにしている。
（梁体20と第２柱体40との接合構造）
梁体20と第２柱体40との接合構造は、梁体20と第１柱体30との接合構造とは左右対称となっている。
【００８５】
図８ないし図１１に示すように、上梁部材21と第２上梁高横架部材43とは、一端を上梁部材21の下面に他端を第２上梁高横架部材43の下面にそれぞれ固定された引き寄せ金物90によって、互いに引き寄せられている。
また、図８ないし図１１に示すように、下梁部材22と第２下梁高横架部材44とは、一端を下梁部材22の上面に他端を第１下梁高横架部材34の上面にそれぞれ固定された引き寄せ金物90によって、互いに引き寄せられている。
また、図１、図８ないし図１１に示すように、第２柱体40における、梁体20と同じ高さに位置する部分を、第２柱梁高部分61とし、第２柱体40における、梁体20よりも下方に位置する部分を、第２柱梁下部分62とする。
【００８６】
そして、図１、図８ないし図１１に示すように、梁体20と第２柱体40との接合部の正面および背面には、それぞれ、梁体20と第２柱梁高部分61と第２柱梁下部分62とに跨るＬ字形の第２構造用面材60がその周縁部を梁体20および第２柱体40に釘で打ち付けられて固定されている。
つまり、第２構造用面材60は、梁体20と第２柱梁高部分61と第２柱梁下部分62との３つの部分に跨るＬ字形の面材である。また、第２構造用面材60は、梁体20と第２柱体40との接合部の正面および背面にそれぞれ固定されている。また、各第２構造用面材60は、それぞれ、その周縁部を、梁体20および第２柱体40に釘で打ち付けられている。
【００８７】
また、図１４に示すように、第２柱梁高部分61の中心を、第２柱梁高中心63とし、また、梁体20と第２柱体40との接合面の中心を、第２柱接合中心64とし、また、第２柱梁高中心63と第２柱接合中心64とを結ぶ線を、第２結線65とし、また、第２結線65上における第２柱梁高中心63付近の所定の点を、第２柱回転中心66とする。
そして、図１４に示すように、各第２構造用面材60は、それぞれ、その下端縁および第１柱体30側端縁が、第２柱回転中心66を中心とする球の接線上に位置するように形成されている。
つまり、第２構造用面材60の下端縁とは、第２構造用面材60の端縁のうち、最も下側の端縁をいい、また、第２構造用面材60の第１柱体30側端縁とは、第２構造用面材60の端縁のうち、最も第１柱体30側の端縁をいう。
【００８８】
そして、本実施の形態では、第２柱回転中心66を中心とする球を想定し、下端縁および第１柱体30側端縁が、第２柱回転中心66を中心とする球の接線上に位置するように、第２構造用面材60の寸法を設定している。つまり、本実施の形態では、第２柱回転中心66から第２構造用面材60の下端縁までの距離と、第２柱回転中心66から第２構造用面材60の第１柱体30側端縁までの距離とがほぼ等しくなるようにしている。
（第１柱体30と基礎100・土台110との接合構造）
図１に示すように、基礎100の上面には土台110が設置され、第１柱体30は、土台110の上面から鉛直上方へ向けて延びるように立設されている。また、第１柱体30は、２つのアンカーボルト120、おそび２枚の第１設置用構造用面材70で、その下端を土台110に固定されている。
【００８９】
具体的には、基礎100における第１柱体30を立設すべき位置には、２つのアンカーボルト120が所定間隔をあけて設けられている。また、各アンカーボルト120は、ほぼ「Ｊ」字形に形成されている。また、各アンカーボルト120の下側の曲がった部分は、基礎100に埋設され、また、各アンカーボルト120の上側の直線状の部分は、基礎100の上面から鉛直上方へ向けて突出している。
また、基礎100の上面には、土台110が設置されている。また、各アンカーボルト120の上側の直線状の部分は、土台110を上下に貫通して、土台110の上面から鉛直上方へ向けて突出している。
【００９０】
また、各アンカーボルト120の上側の直線状の部分は、第４下方横架部材35dをも上下に貫通して、第４下方横架部材35dの上面から鉛直上方へ向けて突出している。
また、第１柱部材31の第２柱部材32側の側面、および第２柱部材32の第１柱部材31側の側面には、それぞれ、ホールダウン金物90が固定されている。つまり、これらのホールダウン金物90は、第１柱体30を構成する枠体の内側に固定されている。そして、各アンカーボルト120と各ホールダウン金物90とがナットで締結されている。これにより、第１柱体30と基礎100とを互いに引き寄せて、第１柱体30の下端を基礎100に固定している。
更に、第１柱体30と土台110との接合部の正面および背面には、それぞれ、第１柱体30と土台110との双方に跨る第１設置用構造用面材70がその周縁部を第１柱体30および土台110に釘で打ち付けられて固定されている。つまり、第１設置用構造用面材70は、第１柱体30と土台110とに跨る面材である。また、第１設置用構造用面材70は、第１柱体30と土台110との接合部の正面および背面にそれぞれ固定されている。
【００９１】
（第２柱体40と基礎100・土台110との接合構造）
第２柱体40と基礎100・土台110との接合構造は、第１柱体30と基礎100・土台110との接合構造と同様である。
図１、図１２および図１３に示すように、基礎100の上面には土台110が設置され、第２柱体40は、土台110の上面から鉛直上方へ向けて延びるように立設されている。また、図１、図１２および図１３に示すように、第２柱体40は、２つのアンカーボルト120、おそび２枚の第２設置用構造用面材80で、その下端を土台110に固定されている。
具体的には、図１２および図１３に示すように、基礎100における第２柱体40を立設すべき位置には、２つのアンカーボルト120が所定間隔をあけて設けられている。また、各アンカーボルト120は、ほぼ「Ｊ」字形に形成されている。また、各アンカーボルト120の下側の曲がった部分は、基礎100に埋設され、また、各アンカーボルト120の上側の直線状の部分は、基礎100の上面から鉛直上方へ向けて突出している。
【００９２】
また、図１２および図１３に示すように、基礎100の上面には、土台110が設置されている。また、各アンカーボルト120の上側の直線状の部分は、土台110を上下に貫通して、土台110の上面から鉛直上方へ向けて突出している。
また、図１２および図１３に示すように、各アンカーボルト120の上側の直線状の部分は、第４下方横架部材35dをも上下に貫通して、第４下方横架部材35dの上面から鉛直上方へ向けて突出している。
また、図１２および図１３に示すように、第３柱部材41の第４柱部材42側の側面、および第４柱部材42の第３柱部材41側の側面には、それぞれ、ホールダウン金物90が固定されている。つまり、これらのホールダウン金物90は、第２柱体40を構成する枠体の内側に固定されている。そして、各アンカーボルト120と各ホールダウン金物90とがナットで締結されている。これにより、第２柱体40と基礎100とを互いに引き寄せて、第２柱体40の下端を基礎100に固定している。
【００９３】
更に、図１３に示すように、第２柱体40と土台110との接合部の正面および背面には、それぞれ、第２柱体40と土台110との双方に跨る第２設置用構造用面材80がその周縁部を第２柱体40および土台110に釘で打ち付けられて固定されている。
つまり、第２設置用構造用面材80は、第２柱体40と土台110とに跨る面材である。また、第２設置用構造用面材80は、第２柱体40と土台110との接合部の正面および背面にそれぞれ固定されている。つまり、第２設置用構造用面材80は、第２柱体40と土台110との接合部の両面に固定されている。つまり、本実施の形態に係る門型フレーム10は、第２設置用構造用面材80を２枚備え、一方は、第２柱体40と土台110との接合部の正面に固定され、他方は、同接合部の背面に固定されている。
【００９４】
（門型フレーム10の施工方法）
以下、本実施の形態に係る門型フレーム10の施工方法について説明する。
（梁体20の組立工程）
本実施の形態では、梁体20は、以下に示すようにして組み立てられる。
まず、図２に示すように、所定間隔をあけて並列に配置した上桁部材21aと下桁部材22aとの間に、第１から第５までの５本の支柱部材23を所定間隔で配置する。本実施の形態では、上桁部材21a、下桁部材22a、第２支柱部材23b、および第４支柱部材23dには、３８ｍｍ×８９ｍｍの木材を用いている。また、第１支柱部材23a、第３支柱部材23c、および第５支柱部材23eには、８９ｍｍ×８９ｍｍの木材を用いている。これらの支柱部材23は、上桁部材21aおよび下桁部材22aの双方と直交するように配置する。そして、各支柱部材23の上端を上桁部材21aの下面に、下端を下桁部材22aの上面に、それぞれ接合する。ここで、上桁部材21aと各支柱部材23との接合は、図２に示すように、上桁部材21aの上面から各支柱部材23方向へ向けて釘を打ち付けることによって行う。また、下桁部材22aと各支柱部材23との接合は、図２に示すように、下桁部材22aの下面から各支柱部材23方向へ向けて釘を打ち付けることによって行う。このようにして、まず梯子状の枠組みをつくる。
【００９５】
次に、図３に示すように、上桁部材21aの上面に、上弦部材21bを沿わせるように配置するとともに、下桁部材22aの下面に、下弦部材22bを沿わせるように配置する。本実施の形態では、上弦部材21bおよび下弦部材22bには、８９ｍｍ×８９ｍｍの木材を用いている。また、上弦部材21bおよび下弦部材22bの長さは、上桁部材21aおよび下桁部材22aの長さよりも長くする。また、上弦部材21bの長さと下弦部材22bの長さとが等しくなるようにする。また、上弦部材21bの左端は、上桁部材21aの左端よりも左側に位置させ、また、上弦部材21bの右端は、上桁部材21aの右端よりも右側に位置させる。またここで、上弦部材21bにおける、上桁部材21aの左端よりも左側に位置する部分を、上弦左側突部とし、また、上弦部材21bにおける、上桁部材21aの右端よりも右側に位置する部分を、上弦右側突部とすると、上弦左側突部の長さと上弦右側突部の長さとが等しくなるように、上弦部材21bを配置する。また、下弦部材22bの左端は、下桁部材22aの左端よりも左側に位置させ、また、下弦部材22bの右端は、下桁部材22aの右端よりも右側に位置させる。またここで、下弦部材22bにおける、下桁部材22aの左端よりも左側に位置する部分を、下弦左側突部とし、また、下弦部材22bにおける、下桁部材22aの右端よりも右側に位置する部分を、下弦右側突部とすると、下弦左側突部の長さと下弦右側突部の長さとが等しくなるように、下弦部材22bを配置する。そして、上桁部材21aの上面に上弦部材21bを、下桁部材22aの下面に下弦部材22bを、それぞれ接合する。ここで、上桁部材21aと上弦部材21bとの接合は、図３に示すように、各支柱部材23間において、上桁部材21aの下面から上弦部材21b方向へ向けて釘を打ち付けることによって行う。また、下桁部材22aと下弦部材22bとの接合は、図３に示すように、各支柱部材23間において、下桁部材22aの上面から下弦部材22b方向へ向けて釘を打ち付けることによって行う。本実施の形態では、上桁部材21aおよび上弦部材21bから、上梁部材21が構成され、下桁部材22aおよび下弦部材22bから、下梁部材22が構成される。つまり、上梁部材21は、上桁部材21aおよび上弦部材21bから構成され、下梁部材22は、下桁部材22aおよび下弦部材22bから構成される。このようにして、枠体をつくる。
【００９６】
次に、図４に示すように、上梁部材21、下梁部材22、および５本の支柱部材23によって構成される枠体の正面および背面に、それぞれ、梁用構造用面材24を固定する。つまり、上梁部材21、下梁部材22、および５本の支柱部材23によって構成される枠体の両面に、梁用構造用面材24を固定する。本実施の形態では、４枚の梁用構造用面材24を用いる。そのうち２枚は、正面に固定し、あとの２枚は、背面に固定する。図４に示すように、正面左側の梁用構造用面材24については、上端縁を、上梁部材21としての上弦部材21bに釘で打ち付け、かつ、下端縁を、下梁部材22としての下弦部材22bに釘で打ち付け、かつ、左側の側端縁を、第１支柱部材23aに釘で打ち付け、かつ、右側の側端縁を、第３支柱部材23cに釘で打ち付ける。更に、正面左側の梁用構造用面材24については、中央を、第２支柱部材23bに釘で打ち付ける。また、正面右側の梁用構造用面材24については、上端縁を、上梁部材21としての上弦部材21bに釘で打ち付け、かつ、下端縁を、下梁部材22としての下弦部材22bに釘で打ち付け、かつ、左側の側端縁を、第３支柱部材23cに釘で打ち付け、かつ、右側の側端縁を、第５支柱部材23eに釘で打ち付ける。更に、正面右側の梁用構造用面材24については、中央を、第４支柱部材23dに釘で打ち付ける。図示しないが、背面についても、正面と同様とする。このようにして、ボックスビーム状の梁体20をつくる。
【００９７】
このようにすることで、本実施の形態では、一般的な２×４用の建築資材を用いて、釘打ちだけで、ボックスビーム状の梁体20をつくることができるようにしている。
（第１柱体30の組立工程）
また、本実施の形態では、第１柱体30は、以下に示すようにして組み立てられる。
まず、図５に示すように、所定間隔をあけて並列に配置した左桁部材31aと右桁部材32aとの間に、第１から第３までの３本の下方横架部材35を所定間隔で配置する。本実施の形態では、左桁部材31a、右桁部材32a、および第２下方横架部材35bには、３８ｍｍ×８９ｍｍの木材を用いている。また、第１下方横架部材35aおよび第３下方横架部材35cには、８９ｍｍ×８９ｍｍの木材を用いている。これらの下方横架部材35は、左桁部材31aおよび右桁部材32aの双方と直交するように配置する。そして、各下方横架部材35の左端を左桁部材31aの右側面に、右端を右桁部材32aの左側面に、それぞれ接合する。ここで、左桁部材31aと各下方横架部材35との接合は、図５に示すように、左桁部材31aの左側面から各下方横架部材35方向へ向けて釘を打ち付けることによって行う。また、右桁部材32aと各下方横架部材35との接合は、図５に示すように、右桁部材32aの右側面から各下方横架部材35方向へ向けて釘を打ち付けることによって行う。このようにして、まず梯子状の枠組みをつくる。
【００９８】
次に、図６に示すように、左桁部材31aの左側面に、左弦部材31bを沿わせるように配置するとともに、右桁部材32aの右側面に、右弦部材32bを沿わせるように配置する。本実施の形態では、左弦部材31bおよび右弦部材32bには、８９ｍｍ×８９ｍｍの木材を用いている。また、左弦部材31bおよび右弦部材32bの長さは、左桁部材31aおよび右桁部材32aの長さよりも長くする。また、左弦部材31bの長さと右弦部材32bの長さとが等しくなるようにする。また、左弦部材31bの上端は、左桁部材31aの上端よりも上方に位置させ、また、左弦部材31bの下端は、左桁部材31aの下端よりも下方に位置させる。また、右弦部材32bの上端は、右桁部材32aの上端よりも上方に位置させ、また、右弦部材32bの下端は、右桁部材32aの下端よりも下方に位置させる。また、左弦部材31bの上端の高さと右弦部材32bの上端の高さとは同じ高さとし、また、左弦部材31bの下端の高さと右弦部材32bの下端の高さとは同じ高さとする。そして、左桁部材31aの左側面に左弦部材31bを、右桁部材32aの右側面に右弦部材32bを、それぞれ接合する。ここで、左桁部材31aと左弦部材31bとの接合は、図６に示すように、各下方横架部材35間において、左桁部材31aの右側面から左弦部材31b方向へ向けて釘を打ち付けることによって行う。また、右桁部材32aと右弦部材32bとの接合は、図６に示すように、各下方横架部材35間において、右桁部材32aの左側面から右弦部材32b方向へ向けて釘を打ち付けることによって行う。本実施の形態では、左桁部材31aおよび左弦部材31bから、第１柱部材31が構成され、右桁部材32aおよび右弦部材32bから、第２柱部材32が構成される。つまり、第１柱部材31は、左桁部材31aおよび左弦部材31bから構成され、第２柱部材32は、右桁部材32aおよび右弦部材32bから構成される。
【００９９】
更に、図６に示すように、第１柱部材31としての左弦部材31bと第２柱部材32としての右弦部材32bとの間であって、上梁部材21としての上弦部材21bの高さに相当する位置に、第１上梁高横架部材33を配置する。本実施の形態では、第１上梁高横架部材33には、８９ｍｍ×８９ｍｍの木材を用いている。そして、第１上梁高横架部材33の一端を、第１柱部材31としての左弦部材31bの右側面に、他端を、第２柱部材32としての右弦部材32bの左側面に、それぞれ接合する。ここで、第１上梁高横架部材33と左弦部材31bおよび右弦部材32bとの接合は、図６に示すように、斜め釘を打ち込むことによって行う。
更に、図６に示すように、第１柱部材31としての左弦部材31bと第２柱部材32としての右弦部材32bとの間であって、下梁部材22としての下弦部材22bの高さに相当する位置に、第１下梁高横架部材34を配置する。本実施の形態では、第１下梁高横架部材34には、８９ｍｍ×８９ｍｍの木材を用いている。そして、第１下梁高横架部材34の一端を、第１柱部材31としての左弦部材31bの右側面に、他端を、第２柱部材32としての右弦部材32bの左側面に、それぞれ接合する。ここで、第１下梁高横架部材34と左弦部材31bおよび右弦部材32bとの接合は、図６に示すように、斜め釘を打ち込むことによって行う。
【０１００】
更に、図６に示すように、第１柱部材31としての左弦部材31bと第２柱部材32としての右弦部材32bとの間であって、第１柱部材31および第２柱部材32の下端に相当する位置に、第４下方横架部材35dを配置する。本実施の形態では、第４下方横架部材35dには、８９ｍｍ×８９ｍｍの木材を用いている。そして、第４下方横架部材35dの一端を、第１柱部材31としての左弦部材31bの右側面に、他端を、第２柱部材32としての右弦部材32bの左側面に、それぞれ接合する。ここで、第４下方横架部材35dと左弦部材31bおよび右弦部材32bとの接合は、図６に示すように、斜め釘を打ち込むことによって行う。
更に、図６に示すように、第２柱部材32としての右弦部材32bの右側面であって、上梁部材21としての上弦部材21bと下梁部材22としての下弦部材22bとの間に相当する位置に、第１補助柱部材36を配置する。つまり、第１補助柱部材36が配置される位置は、第２柱部材32における、第１柱部材31とは反対側の側面である。換言すると、第１補助柱部材36が配置される位置は、第２柱部材32における、第２柱体40側の側面である。更に、第１補助柱部材36が配置される位置は、上梁部材21と下梁部材22との間に相当する位置である。本実施の形態では、第１補助柱部材36には、８９ｍｍ×８９ｍｍの木材を用いている。また、第１補助柱部材36の高さは、上梁部材21としての上弦部材21bと下梁部材22としての下弦部材22bとの間隔と等しくする。第１柱体30と梁体20とを組み合わせた際には、第１補助柱部材36の上端が、上梁部材21としての上弦部材21bの下面に当接するように、かつ、下端が、下梁部材22としての下弦部材22bの上面に当接するようにする。そして、右弦部材32bの右側面に、第１補助柱部材36を接合する。ここで、右弦部材32bと第１補助柱部材36との接合は、図６に示すように、第１補助柱部材36の右側面から右弦部材32b方向へ向けて多数の釘を打ち付けることによって行う。
【０１０１】
このようにして、枠体をつくる。
次に、図７に示すように、第１柱部材31、第２柱部材32、第１上梁高横架部材33、第１下梁高横架部材34、および４本の下方横架部材35によって構成される枠体の正面および背面に、それぞれ、第１柱用構造用面材37を固定する。つまり、第１柱部材31、第２柱部材32、第１上梁高横架部材33、第１下梁高横架部材34、および４本の下方横架部材35によって構成される枠体の両面に、第１柱用構造用面材37を固定する。本実施の形態では、２枚の第１柱用構造用面材37を用いる。そのうち１枚は、正面に固定し、あとの１枚は、背面に固定する。図７に示すように、正面の第１柱用構造用面材37については、上端縁を、第１下方横架部材35aに釘で打ち付け、かつ、下端縁を、第３下方横架部材35cに釘で打ち付け、かつ、左側の側端縁を、第１柱部材31としての左弦部材31bに釘で打ち付け、かつ、右側の側端縁を、第２柱部材32としての右弦部材32bに釘で打ち付ける。更に、正面の第１柱用構造用面材37については、中央を、第２下方横架部材35bに釘で打ち付ける。図示しないが、背面についても、正面と同様とする。このようにして、ボックスビーム状の第１柱体30をつくる。
【０１０２】
このようにすることで、本実施の形態では、一般的な２×４用の建築資材を用いて、釘打ちだけで、ボックスビーム状の第１柱体30をつくることができるようにしている。
（第２柱体40の組立工程）
上述したように、第２柱体40は、第１柱体30とは左右対称の構造であり、したがって、第２柱体40の組立工程は、第１柱体30の組立工程と同様である。
（梁体20と第１柱体30との接合工程）
上述したように、梁体20と第１柱体30との接合構造は、梁体20と第２柱体40との接合構造とは左右対称であり、したがって、梁体20と第１柱体30との接合工程は、以下に示す、梁体20と第２柱体40との接合工程と同様である。
【０１０３】
（梁体20と第２柱体40との接合工程）
図８および図１０に示すように、梁体20の一端と第２柱体40の側面とを当接させる。このとき、第２柱体40に設けた第２補助柱部材46を、梁体20に設けた第２補助柱収納凹部26に収める。そして、第２補助柱部材46の上端が、上梁部材21の下面に、第２補助柱部材46の下端が、下梁部材22の上面に、それぞれ当接するようにする。
次に、図８および図１０に示すように、上梁部材21と第２上梁高横架部材43とを引き寄せ金物90で互いに引き寄せるとともに、下梁部材22と第２下梁高横架部材44とを引き寄せ金物90で互いに引き寄せる。
【０１０４】
次に、図９および図１１に示すように、梁体20と第２柱体40との接合部の正面および背面に、それぞれ、梁体20と第２柱梁高部分61と第２柱梁下部分62とに跨るＬ字形の第２構造用面材60を固定する。本実施の形態では、２枚の第２構造用面材60を用いる。そのうち１枚は、正面に固定し、あとの１枚は、背面に固定する。図９および図１１に示すように、正面の第２構造用面材60については、上端縁を、上梁部材21としての上弦部材21b、および第２上梁高横架部材43に釘で打ち付け、かつ、下端縁を、第１下方横架部材35aに釘で打ち付け、かつ、右側の側端縁を、第４柱部材42としての右弦部材32bに釘で打ち付け、かつ、第１柱体30側端縁を、第５支柱部材23eに釘で打ち付ける。更に、正面の第２構造用面材60については、下梁部材22としての下弦部材22bに沿った端縁を、下梁部材22としての下弦部材22bに釘で打ち付け、かつ、第３柱部材41としての左弦部材31bに沿った端縁を、第３柱部材41としての左弦部材31bに釘で打ち付ける。更に、正面の第２構造用面材60については、周縁部以外の部分であって、第２補助柱部材46に対応する部分を、第２補助柱部材46に釘で打ち付け、かつ、第３柱部材41としての左弦部材31bに対応する部分を、第３柱部材41としての左弦部材31bに釘で打ち付け、かつ、第２下梁高横架部材44に対応する部分を、第２下梁高横架部材44に釘で打ち付ける。図示しないが、背面についても、正面と同様とする。
【０１０５】
また、第２構造用面材60は、例えば、一般的な規格に適合する１枚の長方形の構造用面材をＬ字形にカットすることによって形成できる。また、例えば、１枚の長方形の構造用面材から、２枚の第２構造用面材60を切り出すことができる。
（第１柱体30と基礎100・土台110との接合工程）
上述したように、第１柱体30と基礎100・土台110との接合構造は、第２柱体40と基礎100・土台110との接合構造と同様であり、したがって、第１柱体30と基礎100・土台110との接合工程は、以下に示す、第２柱体40と基礎100・土台110との接合工程と同様である。
（第２柱体40と基礎100・土台110との接合工程）
図１２に示すように、基礎100における第２柱体40を立設すべき位置に、第２柱体40の下端を位置させる。このとき、各アンカーボルト120の上側の直線状の部分を、第４下方横架部材35dの所定位置にあらかじめ設けた各孔にそれぞれ通す。これにより、各アンカーボルト120の上側の直線状の部分を、第４下方横架部材35dを上下に貫通させて、第４下方横架部材35dの上面から鉛直上方へ向けて突出させる。
【０１０６】
次に、図１２に示すように、第３柱部材41の第４柱部材42側の側面、および第４柱部材42の第３柱部材41側の側面に、それぞれ、ホールダウン金物90を固定する。
次に、図１２に示すように、各アンカーボルト120と各ホールダウン金物90とをナットで締結し、第２柱体40と基礎100とを互いに引き寄せる。
次に、図１３に示すように、第２柱体40と土台110との接合部の正面および背面に、それぞれ、第２柱体40と土台110との双方に跨る第２設置用構造用面材80を固定する。正面の第２設置用構造用面材80については、上端縁を、第３下方横架部材35cに釘で打ち付け、かつ、下端縁を、土台110に釘で打ち付け、かつ、左端縁を、第３柱部材41としての左弦部材31bに釘で打ち付け、かつ、右端縁を、第４柱部材42としての右弦部材32bに釘で打ち付ける。図示しないが、背面についても、正面と同様とする。
【０１０７】
以上説明したように、本実施の形態に係る門型フレーム10は、梁体20と第１柱体30との接合部の両面に、梁体20と第１柱梁高部分51と第１柱梁下部分52とに跨るＬ字形の第１構造用面材50を釘で打ち付けて固定するとともに、梁体20と第２柱体40との接合部の両面にも、梁体20と第２柱梁高部分61と第２柱梁下部分62とに跨るＬ字形の第２構造用面材60を釘で打ち付けて固定しているので、柱体における、構造用面材が貼り付けられている部分と貼り付けられていない部分との境目で、柱体が破壊されないようにすることができ、これにより、十分な耐力を発揮する。更に、本実施の形態に係る門型フレーム10は、材料費が比較的安価であり、かつ、施工が比較的容易である。
【０１０８】
また、本実施の形態に係る門型フレーム10は、下端縁および第２柱体40側端縁が、第１柱回転中心56を中心とする球の接線上に位置するように、各第１構造用面材50を形成するとともに、下端縁および第１柱体30側端縁が、第２柱回転中心66を中心とする球の接線上に位置するように、各第２構造用面材60を形成しているので、水平方向の大きな力が加わった際に、第１構造用面材50の下端縁と第２柱体40側端縁とに加わる力がほぼ等しくなるとともに、第２構造用面材60の下端縁と第１柱体30側端縁とに加わる力がほぼ等しくなる。つまり、水平方向の大きな力が加わった際に、第１構造用面材50の下端縁または第２柱体40側端縁のいずれか一方にのみ無理な力が加わるようなことがなく、また、第２構造用面材60の下端縁または第１柱体30側端縁のいずれか一方にのみ無理な力が加わるようなこともない。これにより、第１構造用面材50および第２構造用面材60が破壊されにくくなり、十分な耐力を発揮する。
【０１０９】
また、本実施の形態に係る門型フレーム10は、第１柱体30、第２柱体40、および梁体20をボックスビーム状に形成するとともに、上梁部材21と第１上梁高横架部材33とを引き寄せ金物90で互いに引き寄せ、下梁部材22と第１下梁高横架部材34とを引き寄せ金物90で互いに引き寄せ、上梁部材21と第２上梁高横架部材43とを引き寄せ金物90で互いに引き寄せ、下梁部材22と第２下梁高横架部材44とを引き寄せ金物90で互いに引き寄せることにより、梁体20と第１柱体30および第２柱体40とを剛接合としている。このため、水平方向の大きな力が加わっても、門型フレーム10全体が菱型になるような変形が生じないようにすることができ、ひいては十分な耐力を発揮する。
【０１１０】
また、本実施の形態に係る門型フレーム10は、第２柱部材32の右側面であって、上梁部材21と下梁部材22との間に相当する位置に、第１補助柱部材36を設け、第１補助柱部材36の上端が、上梁部材21の下面に、第１補助柱部材36の下端が、下梁部材22の上面に、それぞれ当接するようにするとともに、第３柱部材41の左側面であって、上梁部材21と下梁部材22との間に相当する位置に、第２補助柱部材46を設け、第２補助柱部材46の上端が、上梁部材21の下面に、第２補助柱部材46の下端が、下梁部材22の上面に、それぞれ当接するようにしている。このため、梁体20に対して上下方向の力が加わった際に、第１補助柱部材36や第２補助柱部材46が梁体20の変位を抑えるので、十分な耐力を発揮する。
【０１１１】
つまり、本実施の形態に係る門型フレーム10では、引き寄せ金物90は、梁体20と第１柱体30および第２柱体40とを引き離すような力に対して特に威力を発揮し、また、第１補助柱部材36および第２補助柱部材46は、梁体20を上下方向に変位させるような力に対して特に威力を発揮し、また、第１構造用面材50および第２構造用面材60は、梁体20と第１柱体30および第２柱体40とを引き離すような力、梁体20を上下方向に変位させるような力、並びに、梁体20と第１柱体30および第２柱体40とがなす角を変化させるような力（梁体20に対して第１柱体30および第２柱体40を回転させるような力）に対して特に威力を発揮する。
【０１１２】
（第２の実施の形態）
図１５ないし図２８は、本発明の第２の実施の形態を示すものである。
図１５は、門型フレーム10の正面図、図１６ないし図１８は、梁体20の正面図、図１９ないし図２１は、柱体の正面図、図２２および図２３は、梁体20と柱体との接合および柱体と土台110との接合を示す正面図、図２４および図２５は、梁体20と柱体との接合を示す拡大図、図２６および図２７は、柱体と土台110との接合を示す拡大図、図２８は、梁体20と柱体とを接合する構造用面材の説明図である。
（門型フレーム10の構造）
図１５に示すように、本実施の形態に係る門型フレーム10は、所定間隔をあけて並列に立設されている第１柱体30および第２柱体40と、第１柱体30と第２柱体40との間に架け渡され、一端付近の下面を第１柱体30の上面に、他端付近の下面を第２柱体40の上面に、それぞれ接合されている梁体20とを備えている。つまり、本実施の形態に係る門型フレーム10は、いわゆる「梁勝ち」の門型フレーム10である。
【０１１３】
（梁体20の構造）
図１５に示すように、梁体20は、第１柱体30と第２柱体40との間に架け渡されている。また、梁体20は、第１柱体30および第２柱体40の双方と直交している。また、梁体20は、一端付近の下面を、第１柱体30の上面に、他端付近の下面を、第２柱体40の上面に、それぞれ接合されている。
また、図１５ないし図１８に示すように、梁体20は、上梁部材21と、下梁部材22と、第１支柱部材23aと、第２支柱部材23bと、第３支柱部材23cと、第４支柱部材23dと、５本の中間支柱部材27と、４枚の梁用構造用面材24とを備えている。
【０１１４】
また、上梁部材21は、第１柱体30から第２柱体40まで至っている。
また、下梁部材22は、上梁部材21の下方に設けられ、かつ、上梁部材21と平行に延び、かつ、第１柱体30から第２柱体40まで至っている。
つまり、上梁部材21および下梁部材22は、双方とも水平方向に延び、上梁部材21が上、下梁部材22が下になるようにして、所定間隔をあけて並列に設けられている。
また、第１支柱部材23aは、上梁部材21と下梁部材22との間であって、第１柱部材31の上方にあたる位置に設けられている。つまり、第１支柱部材23aは、上梁部材21と下梁部材22との間であって、第１柱部材31の真上に相当する位置に設けられている。第１支柱部材23aと第１柱部材31とは、一直線上に並ぶ。また、第１支柱部材23aは、上端を上梁部材21の下面に、下端を下梁部材22の上面に、それぞれ接合されている。
【０１１５】
また、第２支柱部材23bは、上梁部材21と下梁部材22との間であって、第２柱部材32の上方にあたる位置に設けられている。つまり、第２支柱部材23bは、上梁部材21と下梁部材22との間であって、第２柱部材32の真上に相当する位置に設けられている。第２支柱部材23bと第２柱部材32とは、一直線上に並ぶ。また、第２支柱部材23bは、上端を上梁部材21の下面に、下端を下梁部材22の上面に、それぞれ接合されている。
また、第３支柱部材23cは、上梁部材21と下梁部材22との間であって、第３柱部材41の上方にあたる位置に設けられている。つまり、第３支柱部材23cは、上梁部材21と下梁部材22との間であって、第３柱部材41の真上に相当する位置に設けられている。第３支柱部材23cと第３柱部材41とは、一直線上に並ぶ。また、第３支柱部材23cは、上端を上梁部材21の下面に、下端を下梁部材22の上面に、それぞれ接合されている。
【０１１６】
また、第４支柱部材23dは、上梁部材21と下梁部材22との間であって、第４柱部材42の上方にあたる位置に設けられている。つまり、第４支柱部材23dは、上梁部材21と下梁部材22との間であって、第４柱部材42の真上に相当する位置に設けられている。第４支柱部材23dと第４柱部材42とは、一直線上に並ぶ。また、第４支柱部材23dは、上端を上梁部材21の下面に、下端を下梁部材22の上面に、それぞれ接合されている。
また、各中間支柱部材27は、上梁部材21と下梁部材22との間であって、第１柱体30と第２柱体40との間の位置に設けられている。また、各中間支柱部材27は、上端を上梁部材21の下面に、下端を下梁部材22の上面に、それぞれ接合されている。
【０１１７】
更に、下梁部材22の下面であって、第１柱部材31と第２柱部材32との間に相当する位置には、第１補助梁部材28が設けられている。つまり、第１補助梁部材28が設けられている位置は、下梁部材22の下面であって、第１柱部材31と第２柱部材32との間に相当する位置である。また、第１補助梁部材28の長さは、第１柱部材31と第２柱部材32との間隔と等しくしてある。これにより、第１補助梁部材28の一端が、第１柱部材31の側面に、他端が、第２柱部材32の側面に、それぞれ当接するようにしてある。
更に、下梁部材22の下面であって、第３柱部材41と第４柱部材42との間に相当する位置には、第２補助梁部材29が設けられている。つまり、第２補助梁部材29が設けられている位置は、下梁部材22の下面であって、第３柱部材41と第４柱部材42との間に相当する位置である。また、第２補助梁部材29の長さは、第３柱部材41と第４柱部材42との間隔と等しくしてある。これにより、第２補助梁部材29の一端が、第３柱部材41の側面に、他端が、第４柱部材42の側面に、それぞれ当接するようにしてある。
【０１１８】
そして、上梁部材21、下梁部材22、第１支柱部材23a、第２支柱部材23b、第３支柱部材23c、第４支柱部材23d、および５本の中間支柱部材27によって、枠体が構成されている。
また、梁用構造用面材24は、上梁部材21、下梁部材22、第１支柱部材23a、第２支柱部材23b、第３支柱部材23c、第４支柱部材23d、および５本の中間支柱部材27によって構成される枠体の正面および背面にそれぞれ固定されている。つまり、上梁部材21、下梁部材22、第１支柱部材23a、第２支柱部材23b、第３支柱部材23c、第４支柱部材23d、および５本の中間支柱部材27によって構成される枠体の両面に、梁用構造用面材24が固定されている。本実施の形態では、４枚の梁用構造用面材24が備えられており、そのうち２枚は、正面に固定され、あとの２枚は、背面に固定されている。また、正面左側の梁用構造用面材24は、上端縁を、上梁部材21に釘で打ち付けられ、かつ、下端縁を、下梁部材22に釘で打ち付けられ、かつ、左側の側端縁を、第１中間支柱部材27aに釘で打ち付けられ、かつ、右側の側端縁を、第３中間支柱部材27cに釘で打ち付けられている。また、正面右側の梁用構造用面材24は、上端縁を、上梁部材21に釘で打ち付けられ、かつ、下端縁を、下梁部材22に釘で打ち付けられ、かつ、左側の側端縁を、第３中間支柱部材27cに釘で打ち付けられ、かつ、右側の側端縁を、第５中間支柱部材27eに釘で打ち付けられている。背面についても、正面と同様である。
【０１１９】
そして、上梁部材21、下梁部材22、第１支柱部材23a、第２支柱部材23b、第３支柱部材23c、第４支柱部材23d、および５本の中間支柱部材27により構成される枠体の両面に梁用構造用面材24が固定されることによって、ボックスビームが構成されている。このようにして、梁体20は、ボックスビーム状に形成されている。
（第１柱体30の構造）
図１５、図１９ないし図２１に示すように、本実施の形態では、第１柱体30は、第１柱部材31と、第２柱部材32と、４本の横架部材38と、２枚の第１柱用構造用面材37とを備えている。
【０１２０】
また、第１柱部材31および第２柱部材32は、所定間隔をあけて並列に立設されている。
また、各横架部材38は、第１柱部材31と第２柱部材32との間に設けられている。また、各横架部材38は、一端を第１柱部材31の側面に、他端を第２柱部材32の側面に、それぞれ接合されている。
更に、第１柱部材31の上端と第２柱部材32の上端との間には、第１補助梁部材28を収納可能な第１補助梁収納凹部39が設けられている。
そして、第１柱部材31、第２柱部材32、および４本の横架部材38によって、枠体が構成されている。
【０１２１】
また、第１柱用構造用面材37は、第１柱部材31、第２柱部材32、および４本の横架部材38によって構成される枠体の正面および背面にそれぞれ固定されている。つまり、第１柱部材31、第２柱部材32、および４本の横架部材38によって構成される枠体の両面に、第１柱用構造用面材37が固定されている。本実施の形態では、正面の第１柱用構造用面材37は、上端縁を、第１横架部材38aに釘で打ち付けられ、かつ、下端縁を、第３横架部材38cに釘で打ち付けられ、かつ、左側の側端縁を、第１柱部材31に釘で打ち付けられ、かつ、右側の側端縁を、第２柱部材32に釘で打ち付けられている。背面についても、正面と同様である。
【０１２２】
そして、第１柱部材31、第２柱部材32、および４本の横架部材38により構成される枠体の両面に第１柱用構造用面材37が固定されることによって、ボックスビームが構成されている。このようにして、第１柱体30は、ボックスビーム状に形成されている。
（第２柱体40の構造）
本実施の形態では、第２柱体40は、第３柱部材41と、第４柱部材42と、４本の横架部材38と、２枚の第２柱用構造用面材47とを備えている。第２柱体40は、第１柱体30と左右対称につくられており、その構造は、第１柱体30と同様である。
また、第３柱部材41および第４柱部材42は、所定間隔をあけて並列に立設されている。
【０１２３】
また、各横架部材38は、第３柱部材41と第４柱部材42との間に設けられている。また、各横架部材38は、一端を第３柱部材41の側面に、他端を第４柱部材42の側面に、それぞれ接合されている。
更に、第３柱部材41の上端と第４柱部材42の上端との間には、第２補助梁部材29を収納可能な第２補助梁収納凹部49が設けられている。
そして、第３柱部材41、第４柱部材42、および４本の横架部材38によって、枠体が構成されている。
また、第２柱用構造用面材47は、第３柱部材41、第４柱部材42、および４本の横架部材38によって構成される枠体の正面および背面にそれぞれ固定されている。つまり、第３柱部材41、第４柱部材42、および４本の横架部材38によって構成される枠体の両面に、第２柱用構造用面材47が固定されている。本実施の形態では、正面の第２柱用構造用面材47は、上端縁を、第１横架部材38aに釘で打ち付けられ、かつ、下端縁を、第３横架部材38cに釘で打ち付けられ、かつ、左側の側端縁を、第３柱部材41に釘で打ち付けられ、かつ、右側の側端縁を、第４柱部材42に釘で打ち付けられている。背面についても、正面と同様である。
【０１２４】
そして、第３柱部材41、第４柱部材42、および４本の横架部材38により構成される枠体の両面に第２柱用構造用面材47が固定されることによって、ボックスビームが構成されている。このようにして、第２柱体40は、ボックスビーム状に形成されている。
（梁体20と第１柱体30との接合構造）
図２２および図２３に示すように、第１柱部材31と第１支柱部材23aとは、一端を第１柱部材31における第２柱部材32側の側面に他端を第１支柱部材23aにおける第２支柱部材23b側の側面にそれぞれ固定された引き寄せ金物90によって、互いに引き寄せられている。つまり、第１柱部材31と第１支柱部材23aとは、引き寄せ金物90によって互いに引き寄せられ、また、この引き寄せ金物90は、一端を第１柱部材31における第２柱部材32側の側面に、他端を第１支柱部材23aにおける第２支柱部材23b側の側面に、それぞれ固定されている。
【０１２５】
図２２および図２３に示すように、第２柱部材32と第２支柱部材23bとは、一端を第２柱部材32における第１柱部材31側の側面に他端を第２支柱部材23bにおける第１支柱部材23a側の側面にそれぞれ固定された引き寄せ金物90によって、互いに引き寄せられている。つまり、第２柱部材32と第２支柱部材23bとは、引き寄せ金物90によって互いに引き寄せられ、また、この引き寄せ金物90は、一端を第２柱部材32における第１柱部材31側の側面に、他端を第２支柱部材23bにおける第１支柱部材23a側の側面に、それぞれ固定されている。
また、これらの引き寄せ金物90は、いずれも、一直線上に並ぶ部材同士を互いに引き寄せている。つまり、これらの引き寄せ金物90が引き寄せる２つの部材は、いずれも、一直線上に並んでいるものであり、直交するものではない。
【０１２６】
また、これらの引き寄せ金物90は、いずれも、第１柱体30や梁体20を構成する枠体の内側に位置している。また、本実施の形態では、引き寄せ金物90として、ホールダウン金物90を用いている。
また、図１５、図２２および図２３に示すように、梁体20における、第１柱体30の上方に位置する部分を、第１柱上部分58とし、梁体20における、第１柱体30よりも第２柱体40側、かつ、第２柱体40よりも第１柱体30側に位置する部分を、柱間部分57とする。
そして、図１５、図２２および図２３に示すように、梁体20と第１柱体30との接合部の正面および背面には、それぞれ、柱間部分57と第１柱上部分58と第１柱体30とに跨るＬ字形の第１構造用面材50がその周縁部を梁体20および第１柱体30に釘で打ち付けられて固定されている。
【０１２７】
つまり、第１構造用面材50は、柱間部分57と第１柱上部分58と第１柱体30との３つの部分に跨るＬ字形の面材である。また、第１構造用面材50は、梁体20と第１柱体30との接合部の正面および背面にそれぞれ固定されている。つまり、第１構造用面材50は、梁体20と第１柱体30との接合部の両面に固定されている。つまり、本実施の形態に係る門型フレーム10は、第１構造用面材50を２枚備え、一方の第１構造用面材50は、梁体20と第１柱体30との接合部の正面に固定され、他方の第１構造用面材50は、同接合部の背面に固定されている。また、各第１構造用面材50は、それぞれ、その周縁部を、梁体20および第１柱体30に釘で打ち付けられている。
【０１２８】
また、第１柱上部分58の中心を、第１柱上部中心59とし、また、梁体20と第１柱体30との接合面の中心を、第１柱接合中心54とし、また、第１柱上部中心59と第１柱接合中心54とを結ぶ線を、第１結線55とし、また、第１結線55上における第１柱上部中心59付近の所定の点を、第１柱回転中心56とする。
そして、各第１構造用面材50は、それぞれ、その下端縁および第２柱体40側端縁が、第１柱回転中心56を中心とする球の接線上に位置するように形成されている。
つまり、第１構造用面材50の下端縁とは、第１構造用面材50の端縁のうち、最も下側の端縁をいい、また、第１構造用面材50の第２柱体40側端縁とは、第１構造用面材50の端縁のうち、最も第２柱体40側の端縁をいう。
【０１２９】
そして、本実施の形態では、第１柱回転中心56を中心とする球を想定し、下端縁および第２柱体40側端縁が、第１柱回転中心56を中心とする球の接線上に位置するように、第１構造用面材50の寸法を設定している。つまり、本実施の形態では、第１柱回転中心56から第１構造用面材50の下端縁までの距離と、第１柱回転中心56から第１構造用面材50の第２柱体40側端縁までの距離とがほぼ等しくなるようにしている。
（梁体20と第２柱体40との接合構造）
梁体20と第２柱体40との接合構造は、梁体20と第１柱体30との接合構造とは左右対称となっている。
【０１３０】
図２２ないし図２５に示すように、第３柱部材41と第３支柱部材23cとは、一端を第３柱部材41における第４柱部材42側の側面に他端を第３支柱部材23cにおける第４支柱部材23d側の側面にそれぞれ固定された引き寄せ金物90によって、互いに引き寄せられている。
図２２ないし図２５に示すように、第４柱部材42と第４支柱部材23dとは、一端を第４柱部材42における第３柱部材41側の側面に他端を第４支柱部材23dにおける第３支柱部材23c側の側面にそれぞれ固定された引き寄せ金物90によって、互いに引き寄せられている。
また、図１５、図２２ないし図２５に示すように、梁体20における、第２柱体40の上方に位置する部分を、第１柱上部分58とし、梁体20における、第１柱体30よりも第２柱体40側、かつ、第２柱体40よりも第１柱体30側に位置する部分を、柱間部分57とする。
【０１３１】
そして、図１５、図２２ないし図２５に示すように、梁体20と第２柱体40との接合部の正面および背面には、それぞれ、柱間部分57と第２柱上部分68と第２柱体40とに跨るＬ字形の第２構造用面材60がその周縁部を梁体20および第２柱体40に釘で打ち付けられて固定されている。
つまり、第２構造用面材60は、柱間部分57と第２柱上部分68と第２柱体40との３つの部分に跨るＬ字形の面材である。また、第２構造用面材60は、梁体20と第２柱体40との接合部の正面および背面にそれぞれ固定されている。また、各第２構造用面材60は、それぞれ、その周縁部を、梁体20および第２柱体40に釘で打ち付けられている。
【０１３２】
また、図２８に示すように、第２柱上部分68の中心を、第２柱上部中心69とし、また、梁体20と第２柱体40との接合面の中心を、第２柱接合中心64とし、また、第２柱上部中心69と第２柱接合中心64とを結ぶ線を、第２結線65とし、また、第２結線65上における第２柱上部中心69付近の所定の点を、第２柱回転中心66とする。
そして、図２８に示すように、各第２構造用面材60は、それぞれ、その下端縁および第１柱体30側端縁が、第２柱回転中心66を中心とする球の接線上に位置するように形成されている。
つまり、第２構造用面材60の下端縁とは、第２構造用面材60の端縁のうち、最も下側の端縁をいい、また、第２構造用面材60の第１柱体30側端縁とは、第２構造用面材60の端縁のうち、最も第１柱体30側の端縁をいう。
【０１３３】
そして、本実施の形態では、第２柱回転中心66を中心とする球を想定し、下端縁および第１柱体30側端縁が、第２柱回転中心66を中心とする球の接線上に位置するように、第２構造用面材60の寸法を設定している。つまり、本実施の形態では、第２柱回転中心66から第２構造用面材60の下端縁までの距離と、第２柱回転中心66から第２構造用面材60の第１柱体30側端縁までの距離とがほぼ等しくなるようにしている。
（第１柱体30と基礎100・土台110との接合構造）
図１５に示すように、基礎100の上面には土台110が設置され、第１柱体30は、土台110の上面から鉛直上方へ向けて延びるように立設されている。また、第１柱体30は、２つのアンカーボルト120、おそび２枚の第１設置用構造用面材70で、その下端を土台110に固定されている。
【０１３４】
具体的には、基礎100における第１柱体30を立設すべき位置には、２つのアンカーボルト120が所定間隔をあけて設けられている。また、各アンカーボルト120は、ほぼ「Ｊ」字形に形成されている。また、各アンカーボルト120の下側の曲がった部分は、基礎100に埋設され、また、各アンカーボルト120の上側の直線状の部分は、基礎100の上面から鉛直上方へ向けて突出している。
また、基礎100の上面には、土台110が設置されている。また、各アンカーボルト120の上側の直線状の部分は、土台110を上下に貫通して、土台110の上面から鉛直上方へ向けて突出している。
【０１３５】
また、各アンカーボルト120の上側の直線状の部分は、第４横架部材38dをも上下に貫通して、第４横架部材38dの上面から鉛直上方へ向けて突出している。
また、第１柱部材31の第２柱部材32側の側面、および第２柱部材32の第１柱部材31側の側面には、それぞれ、ホールダウン金物90が固定されている。つまり、これらのホールダウン金物90は、第１柱体30を構成する枠体の内側に固定されている。そして、各アンカーボルト120と各ホールダウン金物90とがナットで締結されている。これにより、第１柱体30と基礎100とを互いに引き寄せて、第１柱体30の下端を基礎100に固定している。
更に、第１柱体30と土台110との接合部の正面および背面には、それぞれ、第１柱体30と土台110との双方に跨る第１設置用構造用面材70がその周縁部を第１柱体30および土台110に釘で打ち付けられて固定されている。つまり、第１設置用構造用面材70は、第１柱体30と土台110とに跨る面材である。また、第１設置用構造用面材70は、第１柱体30と土台110との接合部の正面および背面にそれぞれ固定されている。
【０１３６】
（第２柱体40と基礎100・土台110との接合構造）
第２柱体40と基礎100・土台110との接合構造は、第１柱体30と基礎100・土台110との接合構造と同様である。
図１５、図２６および図２７に示すように、基礎100の上面には土台110が設置され、第２柱体40は、土台110の上面から鉛直上方へ向けて延びるように立設されている。また、図１５、図２６および図２７に示すように、第２柱体40は、２つのアンカーボルト120、おそび２枚の第２設置用構造用面材80で、その下端を土台110に固定されている。
具体的には、図２６および図２７に示すように、基礎100における第２柱体40を立設すべき位置には、２つのアンカーボルト120が所定間隔をあけて設けられている。また、各アンカーボルト120は、ほぼ「Ｊ」字形に形成されている。また、各アンカーボルト120の下側の曲がった部分は、基礎100に埋設され、また、各アンカーボルト120の上側の直線状の部分は、基礎100の上面から鉛直上方へ向けて突出している。
【０１３７】
また、図２６および図２７に示すように、基礎100の上面には、土台110が設置されている。また、各アンカーボルト120の上側の直線状の部分は、土台110を上下に貫通して、土台110の上面から鉛直上方へ向けて突出している。
また、図２６および図２７に示すように、各アンカーボルト120の上側の直線状の部分は、第４横架部材38dをも上下に貫通して、第４横架部材38dの上面から鉛直上方へ向けて突出している。
また、図２６および図２７に示すように、第３柱部材41の第４柱部材42側の側面、および第４柱部材42の第３柱部材41側の側面には、それぞれ、ホールダウン金物90が固定されている。つまり、これらのホールダウン金物90は、第２柱体40を構成する枠体の内側に固定されている。そして、各アンカーボルト120と各ホールダウン金物90とがナットで締結されている。これにより、第２柱体40と基礎100とを互いに引き寄せて、第２柱体40の下端を基礎100に固定している。
【０１３８】
更に、図２７に示すように、第２柱体40と土台110との接合部の正面および背面には、それぞれ、第２柱体40と土台110との双方に跨る第２設置用構造用面材80がその周縁部を第２柱体40および土台110に釘で打ち付けられて固定されている。
つまり、第２設置用構造用面材80は、第２柱体40と土台110とに跨る面材である。また、第２設置用構造用面材80は、第２柱体40と土台110との接合部の正面および背面にそれぞれ固定されている。つまり、第２設置用構造用面材80は、第２柱体40と土台110との接合部の両面に固定されている。つまり、本実施の形態に係る門型フレーム10は、第２設置用構造用面材80を２枚備え、一方は、第２柱体40と土台110との接合部の正面に固定され、他方は、同接合部の背面に固定されている。
【０１３９】
（門型フレーム10の施工方法）
以下、本実施の形態に係る門型フレーム10の施工方法について説明する。
（梁体20の組立工程）
本実施の形態では、梁体20は、以下に示すようにして組み立てられる。
まず、図１６に示すように、所定間隔をあけて並列に配置した上桁部材21aと下桁部材22aとの間に、第１から第５までの５本の中間支柱部材27を所定間隔で配置する。本実施の形態では、上桁部材21a、下桁部材22a、第２中間支柱部材27b、および第４中間支柱部材27dには、３８ｍｍ×８９ｍｍの木材を用いている。また、第１中間支柱部材27a、第３中間支柱部材27c、および第５中間支柱部材27eには、８９ｍｍ×８９ｍｍの木材を用いている。これらの中間支柱部材27は、上桁部材21aおよび下桁部材22aの双方と直交するように配置する。そして、各中間支柱部材27の上端を上桁部材21aの下面に、下端を下桁部材22aの上面に、それぞれ接合する。ここで、上桁部材21aと各中間支柱部材27との接合は、図１６に示すように、上桁部材21aの上面から各中間支柱部材27方向へ向けて釘を打ち付けることによって行う。また、下桁部材22aと各中間支柱部材27との接合は、図１６に示すように、下桁部材22aの下面から各中間支柱部材27方向へ向けて釘を打ち付けることによって行う。このようにして、まず梯子状の枠組みをつくる。
【０１４０】
次に、図１７に示すように、上桁部材21aの上面に、上弦部材21bを沿わせるように配置するとともに、下桁部材22aの下面に、下弦部材22bを沿わせるように配置する。本実施の形態では、上弦部材21bおよび下弦部材22bには、８９ｍｍ×８９ｍｍの木材を用いている。また、上弦部材21bおよび下弦部材22bの長さは、上桁部材21aおよび下桁部材22aの長さよりも長くする。また、上弦部材21bの長さと下弦部材22bの長さとが等しくなるようにする。また、上弦部材21bの左端は、上桁部材21aの左端よりも左側に位置させ、また、上弦部材21bの右端は、上桁部材21aの右端よりも右側に位置させる。またここで、上弦部材21bにおける、上桁部材21aの左端よりも左側に位置する部分を、上弦左側突部とし、また、上弦部材21bにおける、上桁部材21aの右端よりも右側に位置する部分を、上弦右側突部とすると、上弦左側突部の長さと上弦右側突部の長さとが等しくなるように、上弦部材21bを配置する。また、下弦部材22bの左端は、下桁部材22aの左端よりも左側に位置させ、また、下弦部材22bの右端は、下桁部材22aの右端よりも右側に位置させる。またここで、下弦部材22bにおける、下桁部材22aの左端よりも左側に位置する部分を、下弦左側突部とし、また、下弦部材22bにおける、下桁部材22aの右端よりも右側に位置する部分を、下弦右側突部とすると、下弦左側突部の長さと下弦右側突部の長さとが等しくなるように、下弦部材22bを配置する。そして、上桁部材21aの上面に上弦部材21bを、下桁部材22aの下面に下弦部材22bを、それぞれ接合する。ここで、上桁部材21aと上弦部材21bとの接合は、図１７に示すように、各中間支柱部材27間において、上桁部材21aの下面から上弦部材21b方向へ向けて釘を打ち付けることによって行う。また、下桁部材22aと下弦部材22bとの接合は、図１７に示すように、各中間支柱部材27間において、下桁部材22aの上面から下弦部材22b方向へ向けて釘を打ち付けることによって行う。本実施の形態では、上桁部材21aおよび上弦部材21bから、上梁部材21が構成され、下桁部材22aおよび下弦部材22bから、下梁部材22が構成される。つまり、上梁部材21は、上桁部材21aおよび上弦部材21bから構成され、下梁部材22は、下桁部材22aおよび下弦部材22bから構成される。
【０１４１】
更に、図１７に示すように、上梁部材21としての上弦部材21bと下梁部材22としての下弦部材22bとの間であって、第１柱部材31としての左弦部材31bの上方にあたる位置に、第１支柱部材23aを配置する。そして、第１支柱部材23aの上端を、上梁部材21としての上弦部材21bの下面に、第１支柱部材23aの下端を、下梁部材22としての下弦部材22bの上面に、それぞれ接合する。
更に、図１７に示すように、上梁部材21としての上弦部材21bと下梁部材22としての下弦部材22bとの間であって、第２柱部材32としての右弦部材32bの上方にあたる位置に、第２支柱部材23bを配置する。そして、第２支柱部材23bの上端を、上梁部材21としての上弦部材21bの下面に、第２支柱部材23bの下端を、下梁部材22としての下弦部材22bの上面に、それぞれ接合する。
【０１４２】
更に、図１７に示すように、上梁部材21としての上弦部材21bと下梁部材22としての下弦部材22bとの間であって、第３柱部材41としての左弦部材31bの上方にあたる位置に、第３支柱部材23cを配置する。そして、第３支柱部材23cの上端を、上梁部材21としての上弦部材21bの下面に、第３支柱部材23cの下端を、下梁部材22としての下弦部材22bの上面に、それぞれ接合する。
更に、図１７に示すように、上梁部材21としての上弦部材21bと下梁部材22としての下弦部材22bとの間であって、第４柱部材42としての右弦部材32bの上方にあたる位置に、第４支柱部材23dを配置する。そして、第４支柱部材23dの上端を、上梁部材21としての上弦部材21bの下面に、第４支柱部材23dの下端を、下梁部材22としての下弦部材22bの上面に、それぞれ接合する。
【０１４３】
本実施の形態では、第１支柱部材23aには、８９ｍｍ×８９ｍｍの木材を用いている。また、第１支柱部材23aと上弦部材21bと下弦部材22bとの接合は、図１７に示すように、斜め釘を打ち込むことによって行う。、第２支柱部材23b、第３支柱部材23c、および第４支柱部材23dについても同様である。
更に、図１７に示すように、下梁部材22としての下弦部材22bの下面であって、第１柱部材31と第２柱部材32との間に相当する位置に、第１補助梁部材28を配置し接合する。
更に、図１７に示すように、下梁部材22としての下弦部材22bの下面であって、第３柱部材41と第４柱部材42との間に相当する位置に、第２補助梁部材29を配置し接合する。
【０１４４】
本実施の形態では、第１補助梁部材28には、８９ｍｍ×８９ｍｍの木材を用いている。また、第１補助梁部材28と下弦部材22bとの接合は、第１補助梁部材28の下面から下弦部材22b方向へ向けて多数の釘を打ち付けることによって行う。第２補助梁部材29についても同様である。
このようにして、枠体をつくる。
次に、図１８に示すように、上梁部材21、下梁部材22、第１支柱部材23a、第２支柱部材23b、第３支柱部材23c、第４支柱部材23d、および５本の中間支柱部材27によって構成される枠体の正面および背面に、それぞれ、梁用構造用面材24を固定する。本実施の形態では、４枚の梁用構造用面材24を用いる。そのうち２枚は、正面に固定し、あとの２枚は、背面に固定する。図１８に示すように、正面左側の梁用構造用面材24については、上端縁を、上梁部材21としての上弦部材21bに釘で打ち付け、かつ、下端縁を、下梁部材22としての下弦部材22bに釘で打ち付け、かつ、左側の側端縁を、第１中間支柱部材27aに釘で打ち付け、かつ、右側の側端縁を、第３中間支柱部材27cに釘で打ち付ける。更に、正面左側の梁用構造用面材24については、中央を、第２中間支柱部材27bに釘で打ち付ける。また、正面右側の梁用構造用面材24については、上端縁を、上梁部材21としての上弦部材21bに釘で打ち付け、かつ、下端縁を、下梁部材22としての下弦部材22bに釘で打ち付け、かつ、左側の側端縁を、第３中間支柱部材27cに釘で打ち付け、かつ、右側の側端縁を、第５中間支柱部材27eに釘で打ち付ける。更に、正面右側の梁用構造用面材24については、中央を、第４中間支柱部材27dに釘で打ち付ける。図示しないが、背面についても、正面と同様とする。このようにして、ボックスビーム状の梁体20をつくる。
【０１４５】
このようにすることで、本実施の形態では、一般的な２×４用の建築資材を用いて、釘打ちだけで、ボックスビーム状の梁体20をつくることができるようにしている。
（第１柱体30の組立工程）
また、本実施の形態では、第１柱体30は、以下に示すようにして組み立てられる。
まず、図１９に示すように、所定間隔をあけて並列に配置した左桁部材31aと右桁部材32aとの間に、第１から第３までの３本の横架部材38を所定間隔で配置する。本実施の形態では、左桁部材31a、右桁部材32a、および第２横架部材38bには、３８ｍｍ×８９ｍｍの木材を用いている。また、第１横架部材38aおよび第３横架部材38cには、８９ｍｍ×８９ｍｍの木材を用いている。これらの横架部材38は、左桁部材31aおよび右桁部材32aの双方と直交するように配置する。そして、各横架部材38の左端を左桁部材31aの右側面に、右端を右桁部材32aの左側面に、それぞれ接合する。ここで、左桁部材31aと各横架部材38との接合は、図１９に示すように、左桁部材31aの左側面から各横架部材38方向へ向けて釘を打ち付けることによって行う。また、右桁部材32aと各横架部材38との接合は、図５に示すように、右桁部材32aの右側面から各横架部材38方向へ向けて釘を打ち付けることによって行う。このようにして、まず梯子状の枠組みをつくる。
【０１４６】
次に、図２０に示すように、左桁部材31aの左側面に、左弦部材31bを沿わせるように配置するとともに、右桁部材32aの右側面に、右弦部材32bを沿わせるように配置する。本実施の形態では、左弦部材31bおよび右弦部材32bには、８９ｍｍ×８９ｍｍの木材を用いている。また、左弦部材31bおよび右弦部材32bの長さは、左桁部材31aおよび右桁部材32aの長さよりも長くする。また、左弦部材31bの長さと右弦部材32bの長さとが等しくなるようにする。また、左弦部材31bの上端は、左桁部材31aの上端よりも上方に位置させ、また、左弦部材31bの下端は、左桁部材31aの下端よりも下方に位置させる。また、右弦部材32bの上端は、右桁部材32aの上端よりも上方に位置させ、また、右弦部材32bの下端は、右桁部材32aの下端よりも下方に位置させる。また、左弦部材31bの上端の高さと右弦部材32bの上端の高さとは同じ高さとし、また、左弦部材31bの下端の高さと右弦部材32bの下端の高さとは同じ高さとする。そして、左桁部材31aの左側面に左弦部材31bを、右桁部材32aの右側面に右弦部材32bを、それぞれ接合する。ここで、左桁部材31aと左弦部材31bとの接合は、図２０に示すように、各横架部材38間において、左桁部材31aの右側面から左弦部材31b方向へ向けて釘を打ち付けることによって行う。また、右桁部材32aと右弦部材32bとの接合は、図２０に示すように、各横架部材38間において、右桁部材32aの左側面から右弦部材32b方向へ向けて釘を打ち付けることによって行う。本実施の形態では、左桁部材31aおよび左弦部材31bから、第１柱部材31が構成され、右桁部材32aおよび右弦部材32bから、第２柱部材32が構成される。つまり、第１柱部材31は、左桁部材31aおよび左弦部材31bから構成され、第２柱部材32は、右桁部材32aおよび右弦部材32bから構成される。
【０１４７】
更に、図２０に示すように、第１柱部材31としての左弦部材31bと第２柱部材32としての右弦部材32bとの間であって、第１柱部材31および第２柱部材32の下端に相当する位置に、第４横架部材38dを配置する。本実施の形態では、第４横架部材38dには、８９ｍｍ×８９ｍｍの木材を用いている。そして、第４横架部材38dの一端を、第１柱部材31としての左弦部材31bの右側面に、他端を、第２柱部材32としての右弦部材32bの左側面に、それぞれ接合する。ここで、第４横架部材38dと左弦部材31bおよび右弦部材32bとの接合は、図２０に示すように、斜め釘を打ち込むことによって行う。
このようにして、枠体をつくる。
【０１４８】
次に、図２１に示すように、第１柱部材31、第２柱部材32、および４本の横架部材38によって構成される枠体の正面および背面に、それぞれ、第１柱用構造用面材37を固定する。本実施の形態では、２枚の第１柱用構造用面材37を用いる。そのうち１枚は、正面に固定し、あとの１枚は、背面に固定する。図２１に示すように、正面の第１柱用構造用面材37については、上端縁を、第１横架部材38aに釘で打ち付け、かつ、下端縁を、第３横架部材38cに釘で打ち付け、かつ、左側の側端縁を、第１柱部材31としての左弦部材31bに釘で打ち付け、かつ、右側の側端縁を、第２柱部材32としての右弦部材32bに釘で打ち付ける。更に、正面の第１柱用構造用面材37については、中央を、第２横架部材38bに釘で打ち付ける。図示しないが、背面についても、正面と同様とする。このようにして、ボックスビーム状の第１柱体30をつくる。
【０１４９】
このようにすることで、本実施の形態では、一般的な２×４用の建築資材を用いて、釘打ちだけで、ボックスビーム状の第１柱体30をつくることができるようにしている。
（第２柱体40の組立工程）
上述したように、第２柱体40の構造は、第１柱体30の構造とは左右対称であり、したがって、第２柱体40の組立工程は、第１柱体30の組立工程と同様である。
（梁体20と第１柱体30との接合工程）
上述したように、梁体20と第１柱体30との接合構造は、梁体20と第２柱体40との接合構造とは左右対称であり、したがって、梁体20と第１柱体30との接合工程は、以下に示す、梁体20と第２柱体40との接合工程と同様である。
【０１５０】
（梁体20と第２柱体40との接合工程）
図２２および図２４に示すように、梁体20の一端付近を第２柱体40の上に載せる。これにより、梁体20の一端付近の下面と第２柱体40の上面とを当接させる。このとき、梁体20に設けた第２補助梁部材29を、第２柱体40に設けた第２補助梁収納凹部49に収める。そして、第２補助梁部材29の一端が、第３柱部材41の側面に、他端が、第４柱部材42の側面に、それぞれ当接するようにする。
次に、図２２および図２４に示すように、第３柱部材41と第３支柱部材23cとを引き寄せ金物90で互いに引き寄せるとともに、第４柱部材42と第４支柱部材23dとを引き寄せ金物90で互いに引き寄せる。
【０１５１】
次に、図２３および図２５に示すように、梁体20と第２柱体40との接合部の正面および背面に、それぞれ、柱間部分57と第２柱上部分68と第２柱体40とに跨るＬ字形の第２構造用面材60を固定する。本実施の形態では、２枚の第２構造用面材60を用いる。そのうち１枚は、正面に固定し、あとの１枚は、背面に固定する。図２３および図２５に示すように、正面の第２構造用面材60については、上端縁を、上梁部材21としての上弦部材21bに釘で打ち付け、かつ、下端縁を、第１横架部材38aに釘で打ち付け、かつ、右側の側端縁を、第４支柱部材23d、および第４柱部材42としての右弦部材32bに釘で打ち付け、かつ、第１柱体30側端縁を、第５中間支柱部材27eに釘で打ち付ける。更に、正面の第２構造用面材60については、下梁部材22としての下弦部材22bに沿った端縁を、下梁部材22としての下弦部材22bに釘で打ち付け、かつ、第３柱部材41としての左弦部材31bに沿った端縁を、第３柱部材41としての左弦部材31bに釘で打ち付ける。更に、正面の第２構造用面材60については、周縁部以外の部分であって、下梁部材22としての下弦部材22bに対応する部分を、下梁部材22としての下弦部材22bに釘で打ち付け、かつ、第３支柱部材23cに対応する部分を、第３支柱部材23cに釘で打ち付け、かつ、第２補助梁部材29に対応する部分を、第２補助梁部材29に釘で打ち付ける。図示しないが、背面についても、正面と同様とする。
【０１５２】
また、第２構造用面材60は、例えば、一般的な規格に適合する１枚の長方形の構造用面材をＬ字形にカットすることによって形成できる。また、例えば、１枚の長方形の構造用面材から、２枚の第２構造用面材60を切り出すことができる。
（第１柱体30と基礎100・土台110との接合工程）
上述したように、第１柱体30と基礎100・土台110との接合構造は、第２柱体40と基礎100・土台110との接合構造と同様であり、したがって、第１柱体30と基礎100・土台110との接合工程は、以下に示す、第２柱体40と基礎100・土台110との接合工程と同様である。
（第２柱体40と基礎100・土台110との接合工程）
図２６に示すように、基礎100における第２柱体40を立設すべき位置に、第２柱体40の下端を位置させる。このとき、各アンカーボルト120の上側の直線状の部分を、第４横架部材38dの所定位置にあらかじめ設けた各孔にそれぞれ通す。これにより、各アンカーボルト120の上側の直線状の部分を、第４横架部材38dを上下に貫通させて、第４横架部材38dの上面から鉛直上方へ向けて突出させる。
【０１５３】
次に、図２６に示すように、第３柱部材41の第４柱部材42側の側面、および第４柱部材42の第３柱部材41側の側面に、それぞれ、ホールダウン金物90を固定する。
次に、図２６に示すように、各アンカーボルト120と各ホールダウン金物90とをナットで締結し、第２柱体40と基礎100とを互いに引き寄せる。
次に、図２７に示すように、第２柱体40と土台110との接合部の正面および背面に、それぞれ、第２柱体40と土台110との双方に跨る第２設置用構造用面材80を固定する。正面の第２設置用構造用面材80については、上端縁を、第３横架部材38cに釘で打ち付け、かつ、下端縁を、土台110に釘で打ち付け、かつ、左端縁を、第３柱部材41としての左弦部材31bに釘で打ち付け、かつ、右端縁を、第４柱部材42としての右弦部材32bに釘で打ち付ける。図示しないが、背面についても、正面と同様とする。
【０１５４】
以上説明したように、本実施の形態に係る門型フレーム10は、梁体20と第１柱体30との接合部の両面に、柱間部分57と第１柱上部分58と第１柱体30とに跨るＬ字形の第１構造用面材50を釘で打ち付けて固定するとともに、梁体20と第２柱体40との接合部の両面にも、柱間部分57と第２柱上部分68と第２柱体40とに跨るＬ字形の第２構造用面材60を釘で打ち付けて固定しているので、柱体における、構造用面材が貼り付けられている部分と貼り付けられていない部分との境目で、柱体が破壊されないようにすることができ、これにより、十分な耐力を発揮する。更に、本実施の形態に係る門型フレーム10は、材料費が比較的安価であり、かつ、施工が比較的容易である。
【０１５５】
また、本実施の形態に係る門型フレーム10は、下端縁および第２柱体40側端縁が、第１柱回転中心56を中心とする球の接線上に位置するように、各第１構造用面材50を形成するとともに、下端縁および第１柱体30側端縁が、第２柱回転中心66を中心とする球の接線上に位置するように、各第２構造用面材60を形成しているので、水平方向の大きな力が加わった際に、第１構造用面材50の下端縁と第２柱体40側端縁とに加わる力がほぼ等しくなるとともに、第２構造用面材60の下端縁と第１柱体30側端縁とに加わる力がほぼ等しくなる。つまり、水平方向の大きな力が加わった際に、第１構造用面材50の下端縁または第２柱体40側端縁のいずれか一方にのみ無理な力が加わるようなことがなく、また、第２構造用面材60の下端縁または第１柱体30側端縁のいずれか一方にのみ無理な力が加わるようなこともない。これにより、第１構造用面材50および第２構造用面材60が破壊されにくくなり、十分な耐力を発揮する。
【０１５６】
また、本実施の形態に係る門型フレーム10は、第１柱体30、第２柱体40、および梁体20をボックスビーム状に形成するとともに、第１柱部材31と第１支柱部材23aとを引き寄せ金物90で互いに引き寄せ、第２柱部材32と第２支柱部材23bとを引き寄せ金物90で互いに引き寄せ、第３柱部材41と第３支柱部材23cとを引き寄せ金物90で互いに引き寄せ、第４柱部材42と第４支柱部材23dとを引き寄せ金物90で互いに引き寄せることにより、梁体20と第１柱体30および第２柱体40とを剛接合としている。このため、水平方向の大きな力が加わっても、門型フレーム10全体が菱型になるような変形が生じないようにすることができ、ひいては十分な耐力を発揮する。
【０１５７】
また、本実施の形態に係る門型フレーム10は、下梁部材22の下面であって、第１柱部材31と第２柱部材32との間に相当する位置に、第１補助梁部材28を設け、第１補助梁部材28の一端が、第１柱部材31の側面に、他端が、第２柱部材32の側面に、それぞれ当接するようにするとともに、下梁部材22の下面であって、第３柱部材41と第４柱部材42との間に相当する位置に、第２補助梁部材29を設け、第２補助梁部材29の一端が、第３柱部材41の側面に、他端が、第４柱部材42の側面に、それぞれ当接するようにしている。このため、梁体20に対して水平方向の力が加わった際に、第１補助梁部材28や第２補助梁部材29が梁体20の変位を抑えるので、十分な耐力を発揮する。
【０１５８】
つまり、本実施の形態に係る門型フレーム10では、引き寄せ金物90は、梁体20と第１柱体30および第２柱体40とを上下に引き離すような力に対して特に威力を発揮し、また、第１補助梁部材28および第２補助梁部材29は、梁体20を水平方向に変位させるような力に対して特に威力を発揮し、また、第１構造用面材50および第２構造用面材60は、梁体20と第１柱体30および第２柱体40とを上下に引き離すような力、梁体20を水平方向に変位させるような力、並びに、梁体20と第１柱体30および第２柱体40とがなす角を変化させるような力（梁体20に対して第１柱体30および第２柱体40を回転させるような力）に対して特に威力を発揮する。
【０１５９】
（門型フレーム10の用途）
門型フレーム10は、建築物の桁梁または開口部に使用される。
また、門型フレーム10は、単体でも使用できるが、複数体を組み合わせて使用することもできる。
図２９に示すように、２つの門型フレーム10を平行に配置して使用することができる。具体的には、例えば、大空間の両側に位置するように、２つの門型フレーム10を平行に配置して使用することができる。
図３０に示すように、２つの門型フレーム10を直列に配置して使用することもできる。具体的には、例えば、２つの開口部が建築物の同一平面上に横並びに設けられるような場合に、２つの門型フレーム10を直列に配置して使用することができる。
【０１６０】
図３１に示すように、２つの門型フレーム10をＬ字形（直角）に配置して使用することもできる。具体的には、例えば、２つの開口部が建築物の角部に直交するように設けられるような場合に、２つの門型フレーム10をＬ字形（直角）に配置して使用することができる。
図３２に示すように、３つの門型フレーム10をＴ字形に配置して使用することもできる。具体的には、例えば、開口部を有する部屋を２つ並べて設ける場合において、各部屋の開口部に対応する位置と、これら２つの部屋の境目とに門型フレーム10を配置するようなときに、３つの門型フレーム10をＴ字形に配置して使用することができる。
【０１６１】
図３３に示すように、４つの門型フレーム10を十字形に配置して使用することもできる。具体的には、例えば、４つの部屋を田の字形に配置するとともに、これら４つの部屋の境目にそれぞれ門型フレーム10を配置するような場合に、４つの門型フレーム10を十字形に配置して使用することができる。
図３４に示すように、１２の門型フレーム10を田の字形に配置して使用することもできる。具体的には、例えば、４つの部屋を田の字形に配置するとともに、これら４つの部屋すべてについて、四方を囲むように門型フレーム10を配置するような場合に、１２の門型フレーム10を田の字形に配置して使用することができる。
【図面の簡単な説明】
【０１６２】
【図１】本発明の第１の実施の形態に係る門型フレームの正面図。
【図２】本発明の第１の実施の形態に係る門型フレームの梁体の正面図。
【図３】本発明の第１の実施の形態に係る門型フレームの梁体の正面図。
【図４】本発明の第１の実施の形態に係る門型フレームの梁体の正面図。
【図５】本発明の第１の実施の形態に係る門型フレームの柱体の正面図。
【図６】本発明の第１の実施の形態に係る門型フレームの柱体の正面図。
【図７】本発明の第１の実施の形態に係る門型フレームの柱体の正面図。
【図８】本発明の第１の実施の形態に係る門型フレームの梁体と柱体との接合および柱体と土台との接合を示す正面図。
【図９】本発明の第１の実施の形態に係る門型フレームの梁体と柱体との接合および柱体と土台との接合を示す正面図。
【図１０】本発明の第１の実施の形態に係る門型フレームの梁体と柱体との接合を示す拡大図。
【図１１】本発明の第１の実施の形態に係る門型フレームの梁体と柱体との接合を示す拡大図。
【図１２】本発明の第１の実施の形態に係る門型フレームの柱体と土台との接合を示す拡大図。
【図１３】本発明の第１の実施の形態に係る門型フレームの柱体と土台との接合を示す拡大図。
【図１４】本発明の第１の実施の形態に係る門型フレームの梁体と柱体とを接合する構造用面材の説明図。
【図１５】本発明の第２の実施の形態に係る門型フレームの正面図。
【図１６】本発明の第２の実施の形態に係る門型フレームの梁体の正面図。
【図１７】本発明の第２の実施の形態に係る門型フレームの梁体の正面図。
【図１８】本発明の第２の実施の形態に係る門型フレームの梁体の正面図。
【図１９】本発明の第２の実施の形態に係る門型フレームの柱体の正面図。
【図２０】本発明の第２の実施の形態に係る門型フレームの柱体の正面図。
【図２１】本発明の第２の実施の形態に係る門型フレームの柱体の正面図。
【図２２】本発明の第２の実施の形態に係る門型フレームの梁体と柱体との接合および柱体と土台との接合を示す正面図。
【図２３】本発明の第２の実施の形態に係る門型フレームの梁体と柱体との接合および柱体と土台との接合を示す正面図。
【図２４】本発明の第２の実施の形態に係る門型フレームの梁体と柱体との接合を示す拡大図。
【図２５】本発明の第２の実施の形態に係る門型フレームの梁体と柱体との接合を示す拡大図。
【図２６】本発明の第２の実施の形態に係る門型フレームの柱体と土台との接合を示す拡大図。
【図２７】本発明の第２の実施の形態に係る門型フレームの柱体と土台との接合を示す拡大図。
【図２８】本発明の第２の実施の形態に係る門型フレームの梁体と柱体とを接合する構造用面材の説明図。
【図２９】本発明の第１および第２の実施の形態に係る門型フレームの用途を示す説明図。
【図３０】本発明の第１および第２の実施の形態に係る門型フレームの用途を示す説明図。
【図３１】本発明の第１および第２の実施の形態に係る門型フレームの用途を示す説明図。
【図３２】本発明の第１および第２の実施の形態に係る門型フレームの用途を示す説明図。
【図３３】本発明の第１および第２の実施の形態に係る門型フレームの用途を示す説明図。
【図３４】本発明の第１および第２の実施の形態に係る門型フレームの用途を示す説明図。
【符号の説明】
【０１６３】
10  門型フレーム                    20  梁体
21  上梁部材                        21a  上桁部材
21b  上弦部材                       22  下梁部材
22a  下桁部材                       22b  下弦部材
23  支柱部材                        23a  第１支柱部材
23b  第２支柱部材                   23c  第３支柱部材
23d  第４支柱部材                   23e  第５支柱部材
24  梁用構造用面材                  25  第１補助柱収納凹部
26  第２補助柱収納凹部              27  中間支柱部材
27a  第１中間支柱部材               27b  第２中間支柱部材
27c  第３中間支柱部材               27d  第４中間支柱部材
27e  第５中間支柱部材               28  第１補助梁部材
29  第２補助梁部材                  30  第１柱体
31  第１柱部材                      31a  左桁部材
31b  左弦部材                       32  第２柱部材
32a  右桁部材                       32b  右弦部材
33  第１上梁高横架部材              34  第１下梁高横架部材
35  下方横架部材                    35a  第１下方横架部材
35b  第２下方横架部材               35c  第３下方横架部材
35d  第４下方横架部材               36  第１補助柱部材
37  第１柱用構造用面材              38  横架部材
38a  第１横架部材                   38b  第２横架部材
38c  第３横架部材                   38d  第４横架部材
39  第１補助梁収納凹部
40  第２柱体                        41  第３柱部材
42  第４柱部材                      43  第２上梁高横架部材
44  第２下梁高横架部材              46  第２補助柱部材
47  第２柱用構造用面材              49  第２補助梁収納凹部
50  第１構造用面材                  51  第１柱梁高部分
52  第１柱梁下部分                  53  第１柱梁高中心
54  第１柱接合中心                  55  第１結線
56  第１柱回転中心                  57  柱間部分
58  第１柱上部分                    59  第１柱上部中心
60  第２構造用面材                  61  第２柱梁高部分
62  第２柱梁下部分                  63  第２柱梁高中心
64  第２柱接合中心                  65  第２結線
66  第２柱回転中心                  68  第２柱上部分
69  第２柱上部中心                  70  第１設置用構造用面材
80  第２設置用構造用面材            90  引き寄せ金物（ホールダウン金物）
100  基礎                           110  土台
120  アンカーボルト
【図１】
2007113384.tif 000003
【図２】
2007113384.tif 000004
【図３】
2007113384.tif 000005
【図４】
2007113384.tif 000006
【図５】
2007113384.tif 000007
【図６】
2007113384.tif 000008
【図７】
2007113384.tif 000009
【図８】
2007113384.tif 000010
【図９】
2007113384.tif 000011
【図１０】
2007113384.tif 000012
【図１１】
2007113384.tif 000013
【図１２】
2007113384.tif 000014
【図１３】
2007113384.tif 000015
【図１４】
2007113384.tif 000016
【図１５】
2007113384.tif 000017
【図１６】
2007113384.tif 000018
【図１７】
2007113384.tif 000019
【図１８】
2007113384.tif 000020
【図１９】
2007113384.tif 000021
【図２０】
2007113384.tif 000022
【図２１】
2007113384.tif 000023
【図２２】
2007113384.tif 000024
【図２３】
2007113384.tif 000025
【図２４】
2007113384.tif 000026
【図２５】
2007113384.tif 000027
【図２６】
2007113384.tif 000028
【図２７】
2007113384.tif 000029
【図２８】
2007113384.tif 000030
【図２９】
2007113384.tif 000031
【図３０】
2007113384.tif 000032
【図３１】
2007113384.tif 000033
【図３２】
2007113384.tif 000034
【図３３】
2007113384.tif 000035
【図３４】
2007113384.tif 000036